(57)【特許請求の範囲】
【請求項１】
回転式の操作ダイヤルと、
前記操作ダイヤルの天面に備えられた複数の接触検出部と、
前記操作ダイヤルで設定する項目が前記接触検出部ごとに設定され、前記接触検出部の検出結果に応じて、前記接触検出部ごとに設定された項目の設定変更の有効と無効とを切り替える切替部と、
前記操作ダイヤルの操作に応じて、設定変更が有効な項目の設定を変更する設定変更部と、
前記操作ダイヤルの天面に備えられたダイヤル表示部と、
前記接触検出部に設定された項目の情報を、前記接触検出部の配置に対応させて、設定変更が有効な項目の情報と設定変更が無効な項目の情報とを異なる態様で、前記ダイヤル表示部に表示するダイヤル表示制御部と、
を備えたカメラ。
【請求項２】
前記操作ダイヤルで設定する項目を前記接触検出部ごとに設定する項目設定部を更に備えた、
請求項１に記載のカメラ。
【請求項３】
前記切替部は、前記接触検出部が接触を検出している間、接触を検出している前記接触検出部に設定された項目の設定変更を有効にする、
請求項１又は２に記載のカメラ。
【請求項４】
特定の前記接触検出部の組み合わせに対して前記操作ダイヤルで設定する項目が設定され、
前記切替部は、特定の組み合わせで前記接触検出部が接触を検出している場合、特定の前記接触検出部の組み合わせに対して設定された項目の設定変更を有効にする、
請求項３に記載のカメラ。
【請求項５】
前記操作ダイヤルの近傍に備えられた表示部と、
前記操作ダイヤルで設定される項目の設定値を前記表示部に表示する表示制御部と、
を更に備えた請求項１から４のいずれか１項に記載のカメラ。
【請求項６】
前記表示制御部は、前記操作ダイヤルで設定可能な全ての項目の設定値を前記表示部に表示し、かつ、設定変更が有効な項目の設定値と設定変更が無効な項目の設定値とを異なる態様で表示する、
請求項５に記載のカメラ。
【請求項７】
前記切替部は、前記接触検出部が接触を検出するたびに、設定変更を有効にする項目を、接触を検出した前記接触検出部に設定された項目に切り替える、
請求項１又は２に記載のカメラ。
【請求項８】
同じ前記接触検出部が連続して接触を検出した場合、前記切替部は、接触を検出するたびに、設定変更の無効と有効とを交互に切り替える、
請求項７に記載のカメラ。
【請求項９】
特定の前記接触検出部の組み合わせに対して前記操作ダイヤルで設定する項目が設定され、
前記切替部は、特定の組み合わせで前記接触検出部が接触を検出した場合、特定の前記接触検出部の組み合わせに対して設定された項目の設定変更を有効にする、
請求項７又は８に記載のカメラ。
【請求項１０】
前記操作ダイヤルの近傍に備えられた表示部と、
前記操作ダイヤルで設定される項目の設定値を前記表示部に表示する表示制御部と、
を更に備えた請求項７から９のいずれか１項に記載のカメラ。
【請求項１１】
前記表示制御部は、前記操作ダイヤルで設定可能な全ての項目の設定値を前記表示部に表示し、かつ、設定変更が有効な項目の設定値と設定変更が無効な項目の設定値とを異なる態様で表示する、
請求項１０に記載のカメラ。
【請求項１２】
前記操作ダイヤルの天面に備えられたダイヤル表示部と、
前記接触検出部に設定された項目の情報を前記接触検出部の配置に対応させて前記ダイヤル表示部に表示するダイヤル表示制御部と、
を更に備えた請求項７から１１のいずれか１項に記載のカメラ。
【請求項１３】
前記ダイヤル表示制御部は、設定変更が有効な項目の情報と設定変更が無効な項目の情報とを異なる態様で表示する、
請求項１２に記載のカメラ。
【請求項１４】
前記操作ダイヤルと前記表示部とが、カメラボディの天面に配置される、
請求項５又は１０に記載のカメラ。
【請求項１５】
前記操作ダイヤルが、前記カメラボディのグリップ部側の端部に配置される、
請求項１４に記載のカメラ。
【請求項１６】
回転式の操作ダイヤルの天面に備えられた複数の接触検出部ごとに前記操作ダイヤルで設定する項目を設定し、
前記接触検出部が接触を検出している間、接触を検出している前記接触検出部に設定された項目の設定変更を有効にし、
前記操作ダイヤルの操作に応じて、設定変更が有効な項目の設定を変更し、
前記接触検出部に設定された項目の情報を、前記接触検出部の配置に対応させて、設定変更が有効な項目の情報と設定変更が無効な項目の情報とを異なる態様で、前記操作ダイヤルの天面に備えられたダイヤル表示部に表示する、
カメラの設定方法。
【請求項１７】
回転式の操作ダイヤルの天面に備えられた複数の接触検出部ごとに前記操作ダイヤルで設定する項目を設定し、
前記接触検出部が接触を検出するたびに、設定変更を有効にする項目を、接触を検出した前記接触検出部に設定された項目に切り替え、
前記操作ダイヤルの操作に応じて、設定変更が有効な項目の設定を変更し、
前記接触検出部に設定された項目の情報を、前記接触検出部の配置に対応させて、設定変更が有効な項目の情報と設定変更が無効な項目の情報とを異なる態様で、前記操作ダイヤルの天面に備えられたダイヤル表示部に表示する、
カメラの設定方法。
【請求項１８】
回転式の操作ダイヤルの天面に備えられた複数の接触検出部ごとに前記操作ダイヤルで設定する項目を設定する機能と、
前記接触検出部からの出力に基づいて、前記接触検出部ごとの接触の有無を判定する機能と、
前記接触検出部が接触を検出している間、接触を検出している前記接触検出部に設定された項目の設定変更を有効にする機能と、
前記操作ダイヤルの操作に応じて、設定変更が有効な項目の設定を変更する機能と、
前記接触検出部に設定された項目の情報を、前記接触検出部の配置に対応させて、設定変更が有効な項目の情報と設定変更が無効な項目の情報とを異なる態様で、前記操作ダイヤルの天面に備えられたダイヤル表示部に表示する機能と、
をコンピュータに実現させるカメラの設定プログラム。
【請求項１９】
回転式の操作ダイヤルの天面に備えられた複数の接触検出部ごとに前記操作ダイヤルで設定する項目を設定する機能と、
前記接触検出部からの出力に基づいて、前記接触検出部ごとの接触の有無を判定する機能と、
前記接触検出部が接触を検出するたびに、設定変更を有効にする項目を、接触を検出した前記接触検出部に設定された項目に切り替える機能と、
前記操作ダイヤルの操作に応じて、設定変更が有効な項目の設定を変更する機能と、
前記接触検出部に設定された項目の情報を、前記接触検出部の配置に対応させて、設定変更が有効な項目の情報と設定変更が無効な項目の情報とを異なる態様で、前記操作ダイヤルの天面に備えられたダイヤル表示部に表示する機能と、
をコンピュータに実現させるカメラの設定プログラム。
【発明の詳細な説明】
【技術分野】
【０００１】
本発明は、回転式の操作ダイヤルを使用して各種設定を行うカメラ、カメラの設定方法、及び、カメラの設定プログラムに関する。
【背景技術】
【０００２】
シャッタースピード、感度、露出補正値、モード等の各種条件を回転式の操作ダイヤルで設定するカメラが知られている。【０００３】
特許文献１には、カメラに備えられる回転式の操作ダイヤルとして、天面に表示部を備えた操作ダイヤルが記載されている。この操作ダイヤルでは、操作に応じて、表示部の表示が切り替えられる。また、特許文献２には、天面に表示部及びタッチパネルを備えた操作ダイヤルが記載されている。この操作ダイヤルでは、タッチパネルへのタッチ操作によって、表示部の表示が切り替えられる。【０００４】
ところで、回転式の操作ダイヤルは、意図せずに回転させてしまうことがあり、ユーザーが気づかない間に設定が変更してしまっている場合がある。【０００５】
このような不具合を解消するために、ロック機構を備えた操作ダイヤルも提案されている。たとえば、特許文献３及び４には、軸の回転をメカニカルにロックする機構を備えた操作ダイヤルが提案されている。【０００６】
また、特許文献５には、操作ダイヤルが回転操作された場合であっても、設定が変更しないように、設定の変更を禁止する手段を備えたカメラが提案されている。
【先行技術文献】
【特許文献】
【０００７】
【特許文献１】特開2008-165118号公報
【特許文献２】特開2014-202837号公報
【特許文献３】特開平7-134320号公報
【特許文献４】特開2015-125307号公報
【特許文献５】特開2002-277919号公報
【発明の概要】
【発明が解決しようとする課題】
【０００８】
しかしながら、特許文献３及び４のように、軸の回転をメカニカルにロックする機構を備えると、操作ダイヤルの構造が複雑になるという欠点がある。特に、天面に表示部を備えた操作ダイヤルでは、電子化によって機構を単純化して壊れにくくしたり、コストを下げたりすることが目的なので、メカニカルにロックする機構を追加すると、電子化の効果が損なわれるという欠点がある。【０００９】
また、特許文献５のように、設定の変更を禁止する手段を操作ダイヤルとは別に設けて、操作ダイヤルによる設定の変更を禁止する構成とすると、操作性が低下するという欠点がある。【００１０】
本発明は、このような事情に鑑みてなされ、簡素な構成で誤操作を防止でき、かつ、操作性の高いカメラ、カメラの設定方法、及び、カメラの設定プログラムを提供することを目的とする。
【課題を解決するための手段】
【００１１】
上記課題を解決するための手段は、次のとおりである。【００１２】
（１）回転式の操作ダイヤルと、操作ダイヤルの天面に備えられた複数の接触検出部と、操作ダイヤルで設定する項目が接触検出部ごとに設定され、接触検出部の検出結果に応じて、接触検出部ごとに設定された項目の設定変更の有効と無効とを切り替える切替部と、操作ダイヤルの操作に応じて、設定変更が有効な項目の設定を変更する設定変更部と、を備えたカメラ。【００１３】
本態様によれば、操作ダイヤルの天面に複数の接触検出部が備えられる。各接触検出部には、それぞれ操作ダイヤルで設定する項目が設定される。そして、各接触検出部の検出結果に応じて、各接触検出部に設定された項目の設定変更の有効と無効とが切り替えられる。操作ダイヤルを操作した場合、設定変更が有効な項目の設定が変更される。接触によって設定変更の有効と無効とが切り替えられるので、操作ダイヤルの構成を簡素化できる。複数の接触検出部を備えることにより、１つの操作ダイヤルで複数の項目の設定ができる。【００１４】
（２）操作ダイヤルで設定する項目を接触検出部ごとに設定する項目設定部を更に備えた、上記（１）のカメラ。【００１５】
（３）切替部は、接触検出部が接触を検出している間、接触を検出している接触検出部に設定された項目の設定変更を有効にする、上記（１）又は（２）のカメラ。【００１６】
（４）特定の接触検出部の組み合わせに対して操作ダイヤルで設定する項目が設定され、切替部は、特定の組み合わせで接触検出部が接触を検出している場合、特定の接触検出部の組み合わせに対して設定された項目の設定変更を有効にする、上記（３）のカメラ。【００１７】
（５）操作ダイヤルの近傍に備えられた表示部と、操作ダイヤルで設定される項目の設定値を表示部に表示する表示制御部と、を更に備えた上記（１）から（４）のいずれか一のカメラ。【００１８】
（６）表示制御部は、操作ダイヤルで設定可能な全ての項目の設定値を表示部に表示し、かつ、設定変更が有効な項目の設定値と設定変更が無効な項目の設定値とを異なる態様で表示する、上記（５）のカメラ。【００１９】
（７）操作ダイヤルの天面に備えられたダイヤル表示部と、接触検出部に設定された項目の情報を接触検出部の配置に対応させてダイヤル表示部に表示するダイヤル表示制御部と、を更に備えた上記（１）から（６）のいずれか一のカメラ。【００２０】
（８）ダイヤル表示制御部は、設定変更が有効な項目の情報と設定変更が無効な項目の情報とを異なる態様で表示する、上記（７）のカメラ。【００２１】
（９）切替部は、接触検出部が接触を検出するたびに、設定変更を有効にする項目を、接触を検出した接触検出部に設定された項目に切り替える、上記（１）又は（２）のカメラ。【００２２】
（１０）同じ接触検出部が連続して接触を検出した場合、切替部は、接触を検出するたびに、設定変更の無効と有効とを交互に切り替える、上記（９）のカメラ。【００２３】
（１１）特定の接触検出部の組み合わせに対して操作ダイヤルで設定する項目が設定され、切替部は、特定の組み合わせで接触検出部が接触を検出した場合、特定の接触検出部の組み合わせに対して設定された項目の設定変更を有効にする、上記（９）又は（１０）のカメラ。【００２４】
（１２）操作ダイヤルの近傍に備えられた表示部と、操作ダイヤルで設定される項目の設定値を表示部に表示する表示制御部と、を更に備えた上記（９）から（１１）のいずれか一のカメラ。【００２５】
（１３）表示制御部は、操作ダイヤルで設定可能な全ての項目の設定値を表示部に表示し、かつ、設定変更が有効な項目の設定値と設定変更が無効な項目の設定値とを異なる態様で表示する、上記（１２）のカメラ。【００２６】
（１４）操作ダイヤルの天面に備えられたダイヤル表示部と、接触検出部に設定された項目の情報を接触検出部の配置に対応させてダイヤル表示部に表示するダイヤル表示制御部と、を更に備えた上記（９）から（１３）のいずれか一のカメラ。【００２７】
（１５）ダイヤル表示制御部は、設定変更が有効な項目の情報と設定変更が無効な項目の情報とを異なる態様で表示する、上記（１４）のカメラ。【００２８】
（１６）操作ダイヤルと表示部とが、カメラボディの天面に配置される、上記（５）又は（１２）のカメラ。【００２９】
（１７）操作ダイヤルが、カメラボディのグリップ部側の端部に配置される、上記（１６）のカメラ。【００３０】
（１８）回転式の操作ダイヤルの天面に備えられた複数の接触検出部ごとに操作ダイヤルで設定する項目を設定し、接触検出部が接触を検出している間、接触を検出している接触検出部に設定された項目の設定変更を有効にし、操作ダイヤルの操作に応じて、設定変更が有効な項目の設定を変更する、カメラの設定方法。【００３１】
本態様によれば、操作ダイヤルの天面に複数の接触検出部が備えられ、その接触検出部が接触を検出している間だけ、操作ダイヤルによる操作が有効になる。これにより、簡単に操作ダイヤルをロック及びアンロックできる。また、各接触検出部には、それぞれ操作ダイヤルで設定可能な項目が設定され、接触を検出した接触検出部に設定された項目の設定変更が有効にされる。これにより、１つの操作ダイヤルで複数の項目の設定ができる。【００３２】
（１９）回転式の操作ダイヤルの天面に備えられた複数の接触検出部ごとに操作ダイヤルで設定する項目を設定し、接触検出部が接触を検出するたびに、設定変更を有効にする項目を、接触を検出した接触検出部に設定された項目に切り替え、操作ダイヤルの操作に応じて、設定変更が有効な項目の設定を変更する、カメラの設定方法。【００３３】
本態様によれば、操作ダイヤルの天面に複数の接触検出部が備えられ、その接触検出部が接触を検出するたびに、操作ダイヤルで設定変更可能な項目が切り替えられる。これにより、１つの操作ダイヤルで複数の項目の設定ができる。【００３４】
（２０）回転式の操作ダイヤルの天面に備えられた複数の接触検出部ごとに操作ダイヤルで設定する項目を設定する機能と、接触検出部からの出力に基づいて、接触検出部ごとの接触の有無を判定する機能と、接触検出部が接触を検出している間、接触を検出している接触検出部に設定された項目の設定変更を有効にする機能と、操作ダイヤルの操作に応じて、設定変更が有効な項目の設定を変更する機能と、をコンピュータに実現させるカメラの設定プログラム。【００３５】
本態様によれば、操作ダイヤルの天面に複数の接触検出部が備えられ、その接触検出部が接触を検出している間だけ、操作ダイヤルによる操作が有効になる。これにより、簡単に操作ダイヤルをロック及びアンロックできる。また、各接触検出部には、それぞれ操作ダイヤルで設定可能な項目が設定され、接触を検出した接触検出部に設定された項目の設定変更が有効にされる。これにより、１つの操作ダイヤルで複数の項目の設定ができる。【００３６】
（２１）回転式の操作ダイヤルの天面に備えられた複数の接触検出部ごとに操作ダイヤルで設定する項目を設定する機能と、接触検出部からの出力に基づいて、接触検出部ごとの接触の有無を判定する機能と、接触検出部が接触を検出するたびに、設定変更を有効にする項目を、接触を検出した接触検出部に設定された項目に切り替える機能と、操作ダイヤルの操作に応じて、設定変更が有効な項目の設定を変更する機能と、をコンピュータに実現させるカメラの設定プログラム。【００３７】
本態様によれば、操作ダイヤルの天面に複数の接触検出部が備えられ、その接触検出部が接触を検出するたびに、操作ダイヤルで設定変更可能な項目が切り替えられる。これにより、１つの操作ダイヤルで複数の項目の設定ができる。
【発明の効果】
【００３８】
本発明によれば、簡素な構成で誤操作を防止でき、かつ、操作性の高いカメラを提供できる。
【図面の簡単な説明】
【００３９】
【図１】デジタルカメラの正面図
【図２】デジタルカメラの背面図
【図３】デジタルカメラの平面図
【図４】レンズを装着したデジタルカメラの平面図
【図５】操作ダイヤルの概略構成を示す縦断面図
【図６】操作ダイヤルの概略構成を示す平面図
【図７】デジタルカメラの制御系の概略構成を示すブロック図
【図８】操作ダイヤルを使用した設定システムの概略構成を示すブロック図
【図９】サブディスプレーの表示の一例を示す平面図
【図１０】操作ダイヤルで設定可能な項目の設定変更の有効と無効とを切り替える処理の手順を示すフローチャート
【図１１】操作ダイヤルの操作に基づく設定変更の処理の手順を示すフローチャート
【図１２】操作ダイヤルに対する有効な操作形態の一例を示す図
【図１３】操作ダイヤルに対する無効な操作形態の一例を示す図
【図１４】操作ダイヤルの天面に設定する接触検出部のレイアウトの他の一例を示す平面図
【図１５】操作ダイヤルの天面に設定する接触検出部のレイアウトの他の一例を示す平面図
【図１６】操作ダイヤルの天面に設定する接触検出部のレイアウトの他の一例を示す平面図
【図１７】設定変更が有効にされた場合のサブディスプレーの表示の他の一例を示す平面図
【図１８】設定変更が有効にされた場合のサブディスプレーの表示の他の一例を示す平面図
【図１９】設定変更が有効にされた場合のサブディスプレーの表示の他の一例を示す平面図
【図２０】第２の実施の形態のデジタルカメラの要部を拡大した図
【図２１】操作ダイヤルで設定可能な項目の設定変更の有効と無効とを切り替える処理の手順を示すフローチャート
【図２２】第３の実施の形態のデジタルカメラの要部を拡大した図
【図２３】操作ダイヤルを使用した設定システムの概略構成を示すブロック図
【図２４】撮影モードを切り替える処理の手順を示すフローチャート
【図２５】操作ダイヤルの操作に基づく設定変更の処理の手順を示すフローチャート
【図２６】シャッタースピード優先モードに設定された場合のサブディスプレーの表示の一例を示す図
【図２７】プログラムモードに設定された場合のサブディスプレーの表示の一例を示す図
【図２８】絞り優先モードに設定された場合のサブディスプレーの表示の一例を示す図
【図２９】オートモードに設定された場合のサブディスプレーの表示の一例を示す図
【図３０】操作ダイヤルの天面に４つの接触検出部を設定した場合の一例を示す平面図
【図３１】第４の実施の形態のデジタルカメラの要部を拡大した図
【図３２】撮影モードを切り替える処理の手順を示すフローチャート
【図３３】シャッタースピード優先モードに設定された場合のサブディスプレーの表示の一例を示す図
【図３４】プログラムモードに設定された場合のサブディスプレーの表示の一例を示す図
【図３５】絞り優先モードに設定された場合のサブディスプレーの表示の一例を示す図
【図３６】オートモードに設定された場合のサブディスプレーの表示の一例を示す図
【図３７】操作ダイヤルの天面に４つの接触検出部を設定した場合の一例を示す平面図
【図３８】第５の実施の形態のデジタルカメラの正面図
【図３９】第５の実施の形態のデジタルカメラの平面図
【図４０】撮影モードと操作ダイヤルで設定変更する項目との関係を表わす表
【図４１】第５の実施の形態のデジタルカメラに備えられる設定システムの概略構成を示すブロック図
【図４２】操作ダイヤルの概略構成を示す縦断面図
【図４３】操作ダイヤルの概略構成を示す平面図
【図４４】操作ダイヤルを使用した設定システムの概略構成を示すブロック図
【図４５】ダイヤルディスプレーの表示の一例を示す平面図
【図４６】操作ダイヤルの天面に触れた場合のダイヤルディスプレーの表示の一例を示す平面図
【図４７】撮影モードの切り替わりに応じたダイヤルディスプレーの表示の切り替わりの一例を示す図
【図４８】各領域に設定された項目に対する設定変更の有効と無効とを切り替える処理の手順を示すフローチャート
【図４９】操作ダイヤルによる設定変更の有効と無効との切り替わりに応じたダイヤルディスプレーの表示の切り替わりの遷移を示す図
【図５０】設定変更が有効にされた項目の設定値をダイヤルディスプレーに表示する場合の表示の遷移状態を示す図
【図５１】設定変更が有効にされた項目の設定値をダイヤルディスプレーに表示する場合の表示の変形例を示す図
【図５２】操作ダイヤル及びサブディスプレーのレイアウトの他の一例を示す平面図
【図５３】操作ダイヤル及びサブディスプレーのレイアウトの他の一例を示す平面図
【発明を実施するための形態】
【００４０】
以下、添付図面に従って本発明を実施するための好ましい形態について詳説する。
【００４１】
〔第１の実施の形態〕
［外観構成］
図１、図２及び図３は、それぞれ本発明が適用されたデジタルカメラの一例を示す正面図、背面図及び平面図である。
【００４２】
本明細書では、光軸Ｌに沿う方向（図３のｚ方向）を前後方向とし、被写体側を前方向とする。また、光軸Ｌと直交する面において、イメージセンサー５０の長辺に沿う方向（図１のｘ方向）を横方向又は左右方向とし、イメージセンサー５０の短辺に沿う方向（図１のｙ方向）を縦方向又は上下方向とする。
【００４３】
本実施の形態のデジタルカメラ１は、レンズ交換式のデジタルカメラであり、かつ、ノンレフレックス型のデジタルカメラである。レンズ交換式とは、レンズを交換できるデジタルカメラのことである。ノンレフレックス型とは、レンズからの入射光を光学式ファインダーに導くためのレフレックスミラーのないデジタルカメラのことであり、ミラーレスとも称される。
【００４４】
図４は、レンズを装着したデジタルカメラの平面図である。同図に示すように、本実施の形態のデジタルカメラ１は、カメラボディ１０にレンズ２を装着して使用する。
【００４５】
図１から図４に示すように、カメラボディ１０には、レンズマウント１２、メインディスプレー１４、サブディスプレー１６、電子ビューファインダー１８、ホットシュー２０等が備えられる。また、操作部材として、シャッターボタン３０、電源レバー３１、再生ボタン３４、消去ボタン３５、ＡＦロックボタン３６、ＡＥロックボタン３７、メニューボタン３８、セレクターボタン３９、ＢＡＣＫボタン４０、リアコマンドダイヤル４１、及び、操作ダイヤル１１０等が備えられる。
【００４６】
《カメラボディ》
カメラボディ１０は、前後方向の厚みの薄い矩形の箱形状を有する。カメラボディ１０は、一方側（図１において左側）の端部がグリップ部として構成される。ユーザーは、グリップ部を把持してレリーズ操作する。グリップ部には、正面側にグリップ２２、背面側にサムレスト２４が備えられる。
【００４７】
《レンズマウント》
レンズマウント１２は、レンズ２の取り付け部である。図１に示すように、レンズマウント１２は、カメラボディ１０の正面に備えられる。レンズ２は、レンズマウント１２に着脱可能に装着される。レンズマウント１２は、バヨネット式によって構成される。
【００４８】
《メインディスプレー》
メインディスプレー１４は、主として画像の表示に使用されるディスプレーである。図２に示すように、メインディスプレー１４は、カメラボディ１０の背面に備えられる。メインディスプレー１４は、たとえば、カラーＬＣＤ（ＬＣＤ：Liquid Crystal Display／液晶ディスプレー）により構成される。
【００４９】
上記のように、メインディスプレー１４は、主として画像の表示に使用される。表示する画像には、撮影済み画像の他、ライブビュー画像が含まれる。ライブビューとは、イメージセンサーで捉えた画像をリアルタイムに表示する機能のことである。ライブビューすることにより、メインディスプレー上で画角、フォーカス状態等の確認が可能になる。
【００５０】
また、メインディスプレー１４は、ＧＵＩ（ＧＵＩ：Graphical User Interface／グラフィカルユーザーインタフェース）としても利用される。すなわち、各種設定を行う際、メインディスプレー１４に設定画面が表示され、その設定画面において各種設定が行われる。
【００５１】
《サブディスプレー》
サブディスプレー１６は、表示部の一例である。サブディスプレー１６は、メインディスプレー１４に比して小画面の表示装置により構成される。図３に示すように、サブディスプレー１６は、カメラボディ１０の天面に備えられる。サブディスプレー１６は、たとえば、照明を備えた反射型のＬＣＤにより構成される。サブディスプレー１６は、矩形の表示面を有し、その短辺が光軸Ｌと平行に配置される。より具体的には、短辺が前後方向（ｚ方向）に沿って配置され、かつ、長辺が横方向（ｘ方向）に沿って配置される。
【００５２】
サブディスプレー１６には、主としてデジタルカメラ１の設定内容が表示される。このサブディスプレー１６に表示される情報には、少なくとも操作ダイヤル１１０で設定される項目の設定値の情報が含まれる。この点については後に詳述する。
【００５３】
《電子ビューファインダー》
電子ビューファインダー（ＥＶＦ：Electronic View Finder）１８は、ＬＣＤを内蔵した電子式のファインダーである。電子ビューファインダー１８は、図２に示すように、カメラボディ１０の上部（いわゆる軍艦部）に備えられ、背面に接眼部が備えられる。
【００５４】
《ホットシュー》
ホットシュー２０は、外付けのフラッシュの取り付け部である。図３に示すように、ホットシュー２０は、カメラボディ１０の天面に備えられる。
【００５５】
《操作部材》
カメラボディ１０には、操作部材として、シャッターボタン３０、電源レバー３１、再生ボタン３４、消去ボタン３５、ＡＦロックボタン３６、ＡＥロックボタン３７、メニューボタン３８、セレクターボタン３９、ＢＡＣＫボタン４０、リアコマンドダイヤル４１、及び、操作ダイヤル１１０等が備えられる。
【００５６】
〈シャッターボタン〉
シャッターボタン３０は、カメラボディ１０の天面（上面）に備えられ、グリップ部側に配置される。シャッターボタン３０は、いわゆる半押しと全押しとからなる二段式のスイッチにより構成される。シャッターボタン３０が半押しされると、撮影準備、すなわち、ＡＥ及びＡＦが実行され、全押しされると、本撮影、すなわち、記録用の撮影が実施される。なお、ＡＥとは、Automatic Exposure（自動露光）の略であり、カメラが被写体の明るさを自動的に計測し、適正露出を決定する機能のことである。また、ＡＦとは、Automatic Focus（自動焦点）の略であり、カメラが被写体との距離を自動的に計測し、焦点を合わせる機能のことである。
【００５７】
〈電源レバー〉
電源レバー３１は、シャッターボタン３０と同軸上に配置される。電源レバー３１は、回転式のレバーにより構成される。電源レバー３１をオン位置に回転させると、デジタルカメラ１の電源がオンされ、オフ位置に回転させると、デジタルカメラ１の電源がオフされる。
【００５８】
〈再生ボタン〉
再生ボタン３４は、デジタルカメラ１のモードを再生モードに切り替えるボタンである。再生ボタン３４は、カメラボディ１０の背面に備えられ、メインディスプレー１４の上方に配置される。デジタルカメラ１のモードが撮影モードに設定されている状態で再生ボタン３４を押すと、デジタルカメラ１のモードが再生モードに切り替えられる。再生モードに設定されると、最後に撮影した画像がメインディスプレー１４に表示される。
【００５９】
なお、再生モードから撮影モードに切り替える機能は、シャッターボタン３０に割り当てられている。再生モードに設定されている状態でシャッターボタン３０を押すと、デジタルカメラ１のモードが撮影モードに切り替えられる。
【００６０】
〈消去ボタン〉
消去ボタン３５は、メインディスプレー１４に表示されている撮影済み画像の消去を指示するボタンである。消去ボタン３５は、カメラボディ１０の背面に備えられ、メインディスプレー１４の上方に配置される。撮影済み画像をメインディスプレー１４に表示している状態で消去ボタン３５を押すと、消去を確認する画面がメインディスプレー１４に表示される。メインディスプレー１４の表示に従って消去の実行を指示すると、再生中の撮影済み画像がメモリーカードから消去される。
【００６１】
〈ＡＦロックボタン〉
ＡＦロックボタン３６は、フォーカスのロックを指示するボタンである。図２に示すように、ＡＦロックボタン３６は、カメラボディ１０の背面に備えられ、サムレスト２４の近傍に配置される。ＡＦロックボタン３６を押すと、フォーカスがロックされる。
【００６２】
〈ＡＥロックボタン〉
ＡＥロックボタン３７は、露出のロックを指示するボタンである。図２に示すように、ＡＥロックボタン３７は、カメラボディ１０の背面に備えられ、サムレスト２４の近傍に配置される。ＡＥロックボタン３７を押すと、露出がロックされる。
【００６３】
〈メニューボタン〉
メニューボタン３８は、メニュー画面をメインディスプレー１４に呼び出すボタンである。メニューボタン３８は、カメラボディ１０の背面に備えられる。撮影モード又は再生モードに設定されている状態でメニューボタン３８を押すと、メインディスプレー１４にメニュー画面が表示される。
【００６４】
なお、メニューボタン３８は、ＯＫボタンとしても機能し、選択事項、確認事項等について、ＯＫを指示する際に使用される。
【００６５】
〈セレクターボタン〉
セレクターボタン３９は、メニューボタン３８を中心にして同一円上に配置された上下左右の４つのボタンにより構成される。各ボタンには、デジタルカメラ１の設定状況に応じた機能が割り当てられる。たとえば、デジタルカメラ１が再生モードに設定されている場合、図２において右方向のボタンには１コマ送りの機能が割り当てられ、左方向のボタンには１コマ戻しの機能が割り当てられる。また、上方向のボタンにはズームインの機能が割り当てられ、下方向のボタンにはズームアウトの機能が割り当てられる。また、デジタルカメラ１が撮影モードに設定されている場合、図２において右方向のボタンには、ホワイトバランスの設定画面を呼び出す機能が割り当てられ、左方向のボタンには、セルフタイマーの設定画面を呼び出す機能が割り当てられる。また、上方向のボタンには、ＡＦモードの設定画面を呼び出す機能が割り当てられ、下方向のボタンには、連写モードの設定画面を呼び出す機能が割り当てられる。更に、メインディスプレー１４に各種設定画面を呼び出した場合には、画面上でカーソルを各方向に移動させるボタンとして機能する。
【００６６】
〈ＢＡＣＫボタン〉
ＢＡＣＫボタン４０は、メインディスプレー１４の表示を１つ前の状態に戻すことを指示するボタンである。ＢＡＣＫボタン４０は、カメラボディ１０の背面に備えられる。各種設定画面がメインディスプレー１４に表示されている状態でＢＡＣＫボタン４０が押されると、メインディスプレー１４の表示が１つ前の状態に戻される。これにより、選択事項、確認事項等をキャンセルできる。
【００６７】
また、ＢＡＣＫボタン４０は、メインディスプレー１４の表示形態の切り替えを指示するボタンとしても機能する。再生モード又は撮影モードに設定されている状態において、ＢＡＣＫボタン４０が押されると、メインディスプレー１４の表示形態が切り替えられる。たとえば、再生モードに設定されている状態でＢＡＣＫボタン４０が押されると、メインディスプレー１４に表示されている画像の撮影条件、ヒストグラム等が画像に重ねて表示される。また、たとえば、撮影モードに設定されている状態でＢＡＣＫボタン４０が押されると、撮影条件、ヒストグラム等の各種情報がライブビュー画像に重ねて表示される。
【００６８】
〈リアコマンドダイヤル〉
リアコマンドダイヤル４１は、カメラボディ内で回転可能に支持され、その外周の一部がカメラボディ１０の背面に露出して設けられる。特に、本実施の形態のデジタルカメラ１では、カメラボディ１０をグリップする手の親指で操作可能な位置に配置される。リアコマンドダイヤル４１には、デジタルカメラ１の設定状態に応じて種々の機能が割り当てられる。
【００６９】
〈操作ダイヤル〉
操作ダイヤル１１０は、回転式の操作ダイヤルの一例であり、デジタルカメラ１の設定に使用される。特に、本実施の形態のデジタルカメラ１では、シャッタースピードの設定、露出補正値の設定、及び、ＩＳＯ感度（ＩＳＯ：International Organization for Standardization／国際標準化機構）の設定に使用される。
【００７０】
操作ダイヤル１１０は、カメラボディ１０の天面に備えられる。特に、本実施の形態のデジタルカメラ１では、グリップ部側の端部に操作ダイヤル１１０が備えられる。これにより、カメラボディ１０をグリップする手の指で操作ダイヤル１１０を操作できる。
【００７１】
操作ダイヤル１１０は、全体として円盤形状を有する。操作ダイヤル１１０は、主として、内周部１１２と、外周部１１４とにより構成される。内周部１１２は、円盤形状を有し、固定して設けられる。外周部１１４は、リング形状を有し、内周部１１２の外周を回転可能に設けられる。操作ダイヤル１１０を操作する際は、外周部１１４を回転させて操作する。
【００７２】
操作ダイヤル１１０による操作は、内周部１１２の上端面（天面）に触れながら外周部１１４を回転操作した場合にのみ有効になる。すなわち、内周部１１２の上端面に触れながら外周部１１４を回転操作した場合にのみ設定変更が可能になる。
【００７３】
また、操作ダイヤル１１０で設定する項目は、指が触れた位置によって定められる。すなわち、指が触れる位置によって、設定できる項目が異なる。本実施の形態のデジタルカメラ１では、天面の前側に触れた場合と、中央に触れた場合と、後側に触れた場合とで、設定できる項目が異なる。具体的には、天面の前側部分に触れると、シャッタースピードの設定変更が可能になる。また、中央部分に触れると、露出補正値の設定変更が可能になる。また、後側の部分に触れると、ＩＳＯ感度の設定変更が可能になる。この点については、後に詳述する。
【００７４】
図５は、操作ダイヤル１１０の概略構成を示す縦断面図である。図６は、操作ダイヤル１１０の概略構成を示す平面図である。
【００７５】
図５に示すように、操作ダイヤル１１０は、操作ダイヤル支持フレーム１１６を介してカメラボディ１０に組み付けられる。
【００７６】
内周部１１２は、下部同軸上に円柱状の支柱部１１２Ａを有し、その支柱部１１２Ａが、操作ダイヤル支持フレーム１１６に固定される。内周部１１２は、その上端面が操作ダイヤル１１０の天面を構成する。
【００７７】
内周部１１２の上端面（天面）には、タッチセンサー１３０が備えられる。タッチセンサー１３０は、操作ダイヤル１１０の天面への指の接触を検出する。
【００７８】
ここで、図６に示すように、操作ダイヤル１１０の天面は、前領域Ｄｆ、中央領域Ｄｃ、及び、後領域Ｄｒの３つの領域に分割される。
【００７９】
中央領域Ｄｃは、操作ダイヤル１１０の天面の中央に設定される領域である。中央領域Ｄｃは、六角形状の領域として、操作ダイヤル１１０の天面の中央に設定される。
【００８０】
前領域Ｄｆは、中央領域Ｄｃを除いて操作ダイヤル１１０の天面を前後に二分割した場合の前側（被写体側）の領域として設定される。
【００８１】
後領域Ｄｒは、中央領域Ｄｃを除いて操作ダイヤル１１０の天面を前後に二分割した場合の後側（像面側）の領域として設定される。
【００８２】
前領域Ｄｆ、中央領域Ｄｃ、及び、後領域Ｄｒの各領域には、それぞれ接触検出領域が設定される。接触検出領域は、前領域Ｄｆ、中央領域Ｄｃ、及び、後領域Ｄｒの各領域において、指の接触を検出する領域である。図６において、斜線で示した領域が、前領域Ｄｆ、中央領域Ｄｃ、及び、後領域Ｄｒの各領域に設定された接触検出領域である。
【００８３】
各領域の接触検出領域は、楕円形の領域として、各領域内に設定される。中央領域Ｄｃの接触検出領域Ｄｃｚは、中央領域Ｄｃの中央部分に設定される。前領域Ｄｆの接触検出領域Ｄｆｚ及び後領域Ｄｒの接触検出領域Ｄｒｚは、中央領域Ｄｃを中心に前後方向に対称に設定される。前領域Ｄｆに設定された接触検出領域Ｄｆｚと中央領域Ｄｃに設定された接触検出領域Ｄｃｚとの間には、誤検出を防止するため、一定の隙間が設定される。同様に、後領域Ｄｒに設定された接触検出領域Ｄｒｚと中央領域Ｄｃに設定された接触検出領域Ｄｃｚとの間には、誤検出を防止するため、一定の隙間が設定される。
【００８４】
タッチセンサー１３０は、前領域Ｄｆ、中央領域Ｄｃ、及び、後領域Ｄｒの各領域に設定された接触検出領域Ｄｆｚ、Ｄｃｚ、及び、Ｄｒｚへの接触を検出する。したがって、本実施の形態のデジタルカメラ１では、タッチセンサー１３０が、複数の接触検出部として機能する。
【００８５】
上記のように、本実施の形態のデジタルカメラ１では、天面の前側部分に触れると、シャッタースピードの設定変更が可能になる。また、中央部分に触れると、露出補正値の設定変更が可能になる。また、後側の部分に触れると、ＩＳＯ感度の設定変更が可能になる。
【００８６】
図６に示すように、前領域Ｄｆには、接触しながら操作すると、シャッタースピードの設定変更が可能になることを示すため、「ＳＨＵＴＴＥＲ」の文字がプリントされる。また、中央領域Ｄｃには、接触しながら操作すると、露出補正値の設定変更が可能になることを示すため、「ＥＸＰＯＳＵＲＥ  ＣＯＭＰＥＮＳＡＴＩＯＮ」の文字がプリントされる。また、後領域Ｄｒには、接触しながら操作すると、ＩＳＯ感度の設定変更が可能になることを示すため、「ＩＳＯ」の文字がプリントされる。
【００８７】
外周部１１４は、下部同軸上に円筒状の軸部１１４Ａを有し、その軸部１１４Ａが、軸受１１８を介して、操作ダイヤル支持フレーム１１６に回転可能に支持される。
【００８８】
なお、外周部１１４は、正逆回転可能に支持される。図３及び図５において、符号Ｒ＋により示す矢印の方向（反時計回りの回転方向）をプラスの回転方向、符号Ｒ−により示す矢印の方向（時計回りの回転方向）をマイナスの回転方向とする。
【００８９】
操作ダイヤル支持フレーム１１６には、クリック機構１２０が備えられる。クリック機構１２０は、操作ダイヤル１１０の外周部１１４の回転にクリック感を発生させる。
【００９０】
クリック機構１２０は、クリック溝板金１２０Ａと、クリックボール１２０Ｂと、クリックバネ１２０Ｃと、を備えて構成される。
【００９１】
クリック溝板金１２０Ａは、中央に円形の穴を備えた円盤形状を有する。クリック溝板金１２０Ａは、その中央の穴に外周部１１４の軸部１１４Ａが通されて、外周部１１４の軸部１１４Ａに固定される。クリック溝板金１２０Ａは、外周部１１４と同軸上に配置され、外周部１１４と共に回転する。
【００９２】
クリック溝板金１２０Ａには、同一円周上に一定の間隔で複数のクリック溝１２０ａが備えられる。クリック溝１２０ａは、球面状の窪みとして、クリック溝板金１２０Ａの上面に備えられる。このクリック溝１２０ａの配置間隔が、クリック感を発生させる間隔となる。
【００９３】
クリックボール１２０Ｂは、クリック溝１２０ａに嵌入して、クリック感を発生させる部材である。クリックボール１２０Ｂは、操作ダイヤル支持フレーム１１６に備えられる。操作ダイヤル支持フレーム１１６には、クリックボール１２０Ｂを収容するクリックボール収容穴１１６Ａが備えられる。クリックボール収容穴１１６Ａは、有底の穴として、外周部１１４の回転軸と平行に設けられる。また、クリックボール収容穴１１６Ａは、クリック溝１２０ａと対向する位置に備えられる。
【００９４】
クリックバネ１２０Ｃは、クリックボール１２０Ｂをクリック溝板金１２０Ａに向けて付勢する部材である。クリックバネ１２０Ｃは、クリックボール収容穴１１６Ａに収容される。
【００９５】
以上のように構成されるクリック機構１２０の作用は、次のとおりである。
【００９６】
操作ダイヤル１１０の外周部１１４を回転させると、クリック溝板金１２０Ａが回転する。クリック溝板金１２０Ａが回転すると、一定の角度間隔でクリックボール１２０Ｂがクリック溝１２０ａに嵌入する。これにより、一定の角度間隔でクリック感が発生する。
【００９７】
また、クリック感が発生したところで回転を止めると、クリックボール１２０Ｂがクリック溝１２０ａに嵌入する。これにより、回転が止められる。すなわち、一定以上の負荷を掛けて回さない限り、停止状態が維持される。クリックボール１２０Ｂがクリック溝１２０ａに嵌入して回転が止められることをクリックストップと称する。
【００９８】
クリックストップする位置をクリックポジションとすると、クリックポジションの数はクリック溝１２０ａの数と同数になる。また、その間隔もクリック溝１２０ａの間隔と同じになる。たとえば、１回転当たりのクリックポジションの数が１０個の場合、クリック溝１２０ａの配置間隔は３６°となる。この場合、外周部１１４を回転操作すると、３６°の間隔でクリック感が発生する。また、３６°の間隔でクリックストップさせることができる。
【００９９】
操作ダイヤル１１０の外周部１１４の回転は、回転検出部１２６によって検出される。回転検出部１２６は、操作ダイヤル１１０の外周部１１４の回転方向及び回転量を検出する。回転検出部１２６は、ロータリーエンコーダーにより構成され、操作ダイヤル１１０の外周部１１４の回転を検出して、操作ダイヤル１１０の回転方向及び回転量を検出する。
【０１００】
たとえば、１回転当たりのクリックポジションの数が１０の場合、プラス方向Ｒ＋に３６°回転したことを検出することにより、操作ダイヤル１１０がプラス方向Ｒ＋に１クリック分回転操作されたことを検出できる。
【０１０１】
上記のように、操作ダイヤル１１０を操作して設定される項目の設定値は、サブディスプレー１６に表示される。サブディスプレー１６は、カメラボディ１０の天面において、操作ダイヤル１１０の近傍に備えられる。特に、本実施の形態のデジタルカメラ１では、図３に示すように、平面視において、操作ダイヤル１１０の左斜め前側の位置に配置される。これにより、操作ダイヤル１１０を操作する手の指でサブディスプレー１６の表示が隠れるのを防止できる。
【０１０２】
［制御系］
図７は、デジタルカメラの制御系の概略構成を示すブロック図である。
【０１０３】
デジタルカメラ１は、イメージセンサー５０、イメージセンサー駆動部５２、シャッター５４、シャッター駆動部５６、アナログ信号処理部５８、画像データ入力部６０、ワークメモリ６２、データメモリ６４、デジタル信号処理部６６、記録制御部６８、メインディスプレー駆動部７０、サブディスプレー駆動部７２、操作部７４、システムコントローラー８０等を有する。
【０１０４】
イメージセンサー５０は、レンズ２を介して結像した被写体の光学像を電気信号に変換して出力する。イメージセンサー５０には、ＣＣＤイメージセンサー（ＣＣＤ：Charged Coupled Device）、ＣＭＯＳイメージセンサー（ＣＭＯＳ：Complementary Metal Oxide Semiconductor）等の公知のイメージセンサーが使用される。
【０１０５】
イメージセンサー駆動部５２は、システムコントローラー８０からの指令に応じて、イメージセンサー５０を駆動する。
【０１０６】
シャッター５４は、スクエア型のフォーカルプレーンシャッターにより構成され、イメージセンサー５０の直前に配置される。なお、図１は、シャッターが全開された状態が示されている。
【０１０７】
シャッター駆動部５６は、システムコントローラー８０からの指令に応じて、シャッター５４を駆動する。
【０１０８】
アナログ信号処理部５８は、イメージセンサー５０から出力された信号を取り込み、相関二重サンプリング処理、増幅処理等の所要の信号処理を施す。また、アナログ信号処理部５８は、所要の信号処理を施したアナログの画像信号をデジタルの画像信号に変換して出力する。
【０１０９】
画像データ入力部６０は、システムコントローラー８０からの指令に応じて、アナログ信号処理部５８から出力されるデジタルの画像信号を取り込む。取り込まれた１枚分の画像データは、ワークメモリ６２に格納される。
【０１１０】
ワークメモリ６２は、作業用のメモリとして利用される。データメモリ６４は、ＥＥＰＲＯＭ （ＥＥＰＲＯＭ：Electrically Erasable Programmable Read Only Memory）等の不揮発性メモリにより構成され、制御等に必要なデータが記憶される。
【０１１１】
デジタル信号処理部６６は、ワークメモリ６２に取り込まれた画像データに対して、同時化処理、ホワイトバランス補正、ガンマ補正、輪郭補正等の所要の信号処理を施し、輝度データ（Ｙデータ）と色差データ（Ｃｒ，Ｃｂデータ）とからなる所定の画像データを生成する。
【０１１２】
記録制御部６８は、システムコントローラー８０からの指令に応じて、メモリーカード７８にアクセスし、データを読み書きする。撮影により得られた画像データは、メモリーカード７８に記録される。
【０１１３】
メインディスプレー駆動部７０は、システムコントローラー８０からの指令に応じて、メインディスプレー１４を駆動する。
【０１１４】
サブディスプレー駆動部７２は、システムコントローラー８０からの指令に応じて、サブディスプレー１６を駆動する。
【０１１５】
操作部７４は、シャッターボタン３０、電源レバー３１、再生ボタン３４、消去ボタン３５、ＡＦロックボタン３６、ＡＥロックボタン３７、メニューボタン３８、セレクターボタン３９、ＢＡＣＫボタン４０、リアコマンドダイヤル４１、及び、操作ダイヤル１１０等を含み、各操作部材の操作に応じた信号をシステムコントローラー８０に出力する。
【０１１６】
システムコントローラー８０は、デジタルカメラ１の各部の動作を制御する制御部である。システムコントローラー８０は、マイクロコンピューターにより構成される。すなわち、マイクロコンピューターが所定の制御プログラムを実行することによりシステムコントローラー８０として機能し、デジタルカメラ１の各部の動作を制御する制御部として機能する。
【０１１７】
システムコントローラー８０は、レンズ２の制御部としても機能する。システムコントローラー８０は、レンズ２に備えられたレンズ駆動部２ａを介して、レンズ２の動作を制御する。レンズ２は、絞り、フォーカスレンズ等を備える。レンズ駆動部２ａは、絞りを駆動する絞り駆動部、フォーカスレンズを駆動するフォーカスレンズ駆動部等を備える。
【０１１８】
［操作ダイヤルを使用した設定システム］
上記のように、操作ダイヤル１１０は、天面に触れながら操作した場合にのみ有効になる。そして、操作ダイヤル１１０を操作した場合に設定される項目は、操作時に指が触れられている位置によって決まる。本実施の形態のデジタルカメラ１では、前領域Ｄｆに触れながら操作した場合、シャッタースピードの設定変更が可能になる。また、中央領域Ｄｃに触れながら操作した場合、露出補正値の設定変更が可能になる。また、後領域Ｄｒに触れながら操作した場合、ＩＳＯ感度の設定変更が可能になる。
【０１１９】
《構成》
図８は、操作ダイヤル１１０を使用した設定システムの概略構成を示すブロック図である。
【０１２０】
同図に示すように、操作ダイヤル１１０を使用した設定システム１５０は、タッチセンサー１３０の検出結果に基づいて、天面の各領域に設定された項目の設定変更の有効と無効とを切り替える切替部１５２と、操作ダイヤル１１０の回転操作に応じて、設定変更が有効な項目の設定を変更する設定変更部１５４と、を備えて構成される。
【０１２１】
切替部１５２は、タッチセンサー１３０からの出力に基づいて、操作ダイヤル１１０の天面の分割された各領域に設定された項目の設定変更の有効と無効とを切り替える。たとえば、前領域Ｄｆへの接触を検出すると、シャッタースピードの設定変更を有効にする。また、中央領域Ｄｃへの接触を検出すると、露出補正値の設定変更を有効にする。また、後領域Ｄｒへの接触を検出すると、ＩＳＯ感度の設定変更を有効にする。
【０１２２】
ここで、前領域Ｄｆへの接触は、前領域Ｄｆに設定された接触検出領域Ｄｆｚへの接触をタッチセンサー１３０で検出することにより行われる。この場合、タッチセンサー１３０は、前領域Ｄｆへの接触を検出する接触検出部として機能する。
【０１２３】
また、中央領域Ｄｃへの接触は、中央領域Ｄｃに設定された接触検出領域Ｄｃｚへの接触をタッチセンサー１３０で検出することにより行われる。この場合、タッチセンサー１３０は、中央領域Ｄｃへの接触を検出する接触検出部として機能する。
【０１２４】
また、後領域Ｄｒへの接触は、後領域Ｄｒに設定された接触検出領域Ｄｒｚへの接触をタッチセンサー１３０で検出することにより行われる。この場合、タッチセンサー１３０は、後領域Ｄｒへの接触を検出する接触検出部として機能する。
【０１２５】
なお、設定変更が有効にされる項目は１つである。複数の接触検出領域で接触が検出された場合、切替部１５２は、接触検出面積が最も広い領域の接触を有効にする。
【０１２６】
設定変更部１５４は、操作ダイヤル１１０の回転操作に応じて、切替部１５２で設定変更が有効とされた項目の設定を変更する。この際、設定変更部１５４は、回転検出部１２６の検出結果に応じて、設定変更が有効な項目の設定値を変更する。すなわち、操作ダイヤル１１０の回転量及び回転方向に応じて、設定変更が有効な項目の設定値を変更する。
【０１２７】
たとえば、シャッタースピードの設定変更が有効な場合、設定変更部１５４は、操作ダイヤル１１０の操作に応じて、所定の順でシャッタースピードを変更する。すなわち、操作ダイヤル１１０がプラス方向に回転操作された場合は、１クリックごとにシャッタースピードを繰り上げ、マイナス方向に回転操作された場合は、１クリックごとにシャッタースピードを繰り下げる。
【０１２８】
また、露出補正値の設定変更が有効な場合、設定変更部１５４は、操作ダイヤル１１０の操作に応じて、所定のステップ幅で露出補正値を設定する。すなわち、操作ダイヤル１１０がプラス方向に回転操作された場合は、１クリックごとに所定のステップ幅でプラス方向に露出補正値を設定し、マイナス方向に回転操作された場合は、１クリックごとに所定のステップ幅でマイナス方向に露出補正値を設定する。たとえば、ステップ幅が１／３段に設定されている場合、操作ダイヤル１１０がプラス方向に回転操作された場合は、１クリックごとに１／３段ずつプラス方向に露出補正値をプラス方向に設定する。また、操作ダイヤル１１０がマイナス方向に回転操作された場合は、１クリックごとに１／３段ずつマイナス方向に露出補正値を設定する。
【０１２９】
また、ＩＳＯ感度の設定変更が有効な場合、設定変更部１５４は、操作ダイヤル１１０の操作に応じて、所定の順でＩＳＯ感度を変更する。すなわち、操作ダイヤル１１０がプラス方向に回転操作された場合は、１クリックごとにＩＳＯ感度を繰り上げ、マイナス方向に回転操作された場合は、１クリックごとにＩＳＯ感度を繰り下げる。
【０１３０】
全ての項目の設定変更が無効な場合、設定変更部１５４は、操作ダイヤル１１０が回転操作されても、設定変更は行わない。全ての項目の設定変更が無効な場合とは、天面のいずれの領域にも触れずに、操作ダイヤル１１０の回転操作された場合のことである。
【０１３１】
切替部１５２、及び、設定変更部１５４の機能は、システムコントローラー８０の一機能として提供される。すなわち、システムコントローラー８０を構成するマイクロコンピューターが、所定の制御プログラム（カメラの設定プログラム）を実行することにより、切替部１５２及び設定変更部１５４の機能がシステムコントローラー８０によって提供される。
【０１３２】
［サブディスプレーの表示］
操作ダイヤル１１０で設定変更が可能な項目の設定値は、すべてサブディスプレー１６に表示される。上記のように、本実施の形態のデジタルカメラ１では、操作ダイヤル１１０でシャッタースピード、露出補正、及び、ＩＳＯ感度の設定変更が可能なので、サブディスプレー１６には、シャッタースピード、露出補正値、及び、ＩＳＯ感度の現在の設定値の情報が表示される。加えて、本実施の形態のデジタルカメラ１では、現在設定されている絞り値、撮影モード、及び、撮影可能枚数の情報が、サブディスプレー１６に表示される。
【０１３３】
サブディスプレー１６の表示は、サブディスプレー表示制御部７２Ａによって制御される。サブディスプレー表示制御部７２Ａは、表示制御部の一例である。サブディスプレー表示制御部７２Ａは、サブディスプレー１６への表示に必要な情報を取得し、サブディスプレー駆動部７２の駆動を制御して、サブディスプレー１６の表示を制御する。
【０１３４】
サブディスプレー表示制御部７２Ａの機能は、システムコントローラー８０の一機能として提供される。すなわち、システムコントローラー８０を構成するマイクロコンピューターが、所定の制御プログラムを実行することにより、サブディスプレー表示制御部７２Ａの機能がシステムコントローラー８０によって提供される。
【０１３５】
図９は、サブディスプレーの表示の一例を示す平面図である。
【０１３６】
同図に示すように、サブディスプレー１６には、デジタルカメラ１の設定内容として、シャッタースピードの情報ｉ１、絞り値（Ｆ値）の情報ｉ２、ＩＳＯ感度の情報ｉ３、露出補正値の情報ｉ４、撮影モードの情報ｉ５、撮影可能枚数の情報ｉ６が表示される。
【０１３７】
また、サブディスプレー１６には、操作ダイヤル１１０がロックされていること、すなわち、操作ダイヤル１１０による設定変更が無効であることを示すマークであるロックマークｍ１が表示される。ロックマークｍ１は、たとえば、矩形の枠内に「ＬＯＣＫ」の文字が表示された画像により構成される。ロックマークｍ１は、操作ダイヤル１１０がロックされている場合に表示される。したがって、操作ダイヤル１１０のロックが解除されている場合、すなわち、いずれかの項目の設定変更が可能な場合、サブディスプレー１６にロックマークｍ１は表示されない。
【０１３８】
更に、サブディスプレー１６には、操作ダイヤル１１０によって設定変更される項目であることを示す設定変更有効マークｍ２が表示される。設定変更有効マークｍ２は、操作ダイヤル１１０を操作した場合に設定変更される項目、すなわち、設定変更が有効な項目の位置に表示される。図９には、操作ダイヤル１１０を操作した場合にシャッタースピードの設定が変更される場合の例が示されている。この場合、設定変更有効マークｍ２は、シャッタースピードが表示される位置に表示される。
【０１３９】
設定変更有効マークｍ２は、一対の三角形状の図形により構成され、操作ダイヤル１１０を操作した場合に設定変更される項目の両側に表示される。ただし、現時点の設定値が、その項目における設定可能な数値の下限値である場合、右側の図形のみが表示される。また、現時点の設定値が、その項目における設定可能な数値の上限値である場合、左側の図形のみが表示される。これにより、現在の設定値が、その項目における設定可能な数値の上限値又は下限値であるか否かを容易に把握できる。
【０１４０】
なお、操作ダイヤル１１０を操作した場合に設定変更される項目、すなわち、設定変更が有効な項目の設定値については、他の項目、すなわち、設定変更が無効な項目の設定値と異なる態様で表示される。図９に示す例では、操作ダイヤル１１０を操作した場合に設定変更される項目の表示を他の項目の表示よりも大きく表示している。これにより、操作ダイヤル１１０を操作した場合に設定変更される項目を容易に把握できる。
【０１４１】
《作用》
以下、操作ダイヤル１１０を使用して、デジタルカメラ１の各種設定を行う方法（設定方法）について説明する。
【０１４２】
まず、操作ダイヤル１１０で設定可能な項目の設定変更の有効と無効とを切り替える方法について説明する。
【０１４３】
図１０は、操作ダイヤルで設定可能な項目の設定変更の有効と無効とを切り替える処理の手順を示すフローチャートである。
【０１４４】
デジタルカメラ１の電源が投入されると、切替部１５２は、操作ダイヤル１１０で設定可能な全ての項目の操作ダイヤル１１０による設定変更を無効する（ステップＳ１０）。本実施の形態のデジタルカメラ１では、操作ダイヤル１１０によって、シャッタースピード、露出補正値、及び、ＩＳＯ感度の設定変更が可能であるため、切替部１５２は、操作ダイヤル１１０によるシャッタースピード、露出補正値、及び、ＩＳＯ感度の設定変更を無効にする。
【０１４５】
この後、切替部１５２は、操作ダイヤル１１０の天面への接触の有無を判定する（ステップＳ１１）。操作ダイヤル１１０の天面へ接触の有無は、タッチセンサー１３０の検出結果に基づいて判定する。
【０１４６】
天面への接触あり、と判定すると、切替部１５２は、接触が検出された領域が前領域Ｄｆであるか否かを判定する（ステップＳ１２）。接触が検出された領域が前領域Ｄｆであるか否かは、タッチセンサー１３０の検出結果に基づいて判定する。すなわち、接触の検出が、前領域Ｄｆに設定された接触検出領域Ｄｆｚによるものか否かを判定して、接触が検出された領域が前領域Ｄｆであるか否かを判定する。
【０１４７】
接触が検出された領域が前領域Ｄｆであると判定すると、切替部１５２は、前領域Ｄｆに設定された項目の設定変更を有効にする（ステップＳ１３）。本実施の形態のデジタルカメラ１では、前領域Ｄｆにシャッタースピードの設定変更が割り当てられている。したがって、この場合、切替部１５２は、シャッタースピードの設定変更を有効にする。
【０１４８】
接触が検出された領域が、前領域Ｄｆではない、と判定すると、切替部１５２は、接触が検出された領域が中央領域Ｄｃであるか否かを判定する（ステップＳ１４）。接触が検出された領域が中央領域Ｄｃであるか否かは、タッチセンサー１３０の検出結果に基づいて判定する。すなわち、接触の検出が、中央領域Ｄｃに設定された接触検出領域Ｄｃｚによるものか否かを判定して、接触が検出された領域が中央領域Ｄｃであるか否かを判定する。
【０１４９】
接触が検出された領域が中央領域Ｄｃであると判定すると、切替部１５２は、中央領域Ｄｃに設定された項目の設定変更を有効にする（ステップＳ１５）。本実施の形態のデジタルカメラ１では、中央領域Ｄｃに露出補正値の設定変更が割り当てられている。したがって、この場合、切替部１５２は、露出補正値の設定変更を有効にする。
【０１５０】
接触が検出された領域が、中央領域Ｄｃではない、と判定すると、切替部１５２は、接触が検出された領域が、後領域Ｄｒであると認定する。接触が検出された領域が、後領域Ｄｒであると認定すると、切替部１５２は、後領域Ｄｒに設定された項目の設定変更を有効にする（ステップＳ１６）。本実施の形態のデジタルカメラ１では、後領域ＤｒにＩＳＯ感度の設定変更が割り当てられている。したがって、この場合、切替部１５２は、ＩＳＯ感度の設定変更を有効にする。
【０１５１】
この後、切替部１５２は、タッチセンサー１３０からの出力に基づいて、操作ダイヤル１１０の天面への接触が終了したか否かを判定する（ステップＳ１７）。
【０１５２】
操作ダイヤル１１０の天面への接触が終了した、と判定すると、切替部１５２は、設定変更を有効にしていた項目の設定変更を無効に切り替える（ステップＳ１８）。たとえば、前領域Ｄｆへの接触が検出されていて、シャッタースピードの設定変更が有効にされていた場合、接触の検出が終了すると、シャッタースピードの設定変更を無効に切り替える。
【０１５３】
この後、切替部１５２は、電源がオフされたか否かを判定する（ステップＳ１９）。電源がオフされた、と判定すると、処理を終了する。一方、電源がオフされていない、と判定すると、ステップＳ１１に戻り、上記処理を再び実行する。
【０１５４】
このように、操作ダイヤル１１０の天面に触れると、触れた領域に設定された項目の設定変更が有効になる。操作ダイヤル１１０の天面に指が触れていない場合、いずれの設定変更も無効とされる。この場合、操作ダイヤル１１０を回転操作しても、何の設定も変更されない。すなわち、空回りする。
【０１５５】
次に、操作ダイヤル１１０を回転操作して、設定変更する場合の処理について説明する。
【０１５６】
図１１は、操作ダイヤル１１０の操作に基づく設定変更の処理の手順を示すフローチャートである。
【０１５７】
デジタルカメラ１の電源が投入されると、設定変更部１５４は、操作ダイヤル１１０が回転操作されたか否かを判定する（ステップＳ３０）。操作ダイヤル１１０が回転操作されたか否かは、回転検出部１２６からの出力に基づいて判定する。
【０１５８】
操作ダイヤル１１０が回転操作された、と判定すると、設定変更部１５４は、切替部１５２の設定に基づいて、設定変更が有効な項目があるか否かを判定する（ステップＳ３１）。
【０１５９】
設定変更が有効な項目がある、と判定すると、設定変更部１５４は、操作ダイヤル１１０の操作に基づいて、設定変更が有効な項目の設定値を変更する（ステップＳ３２）。より具体的には、操作ダイヤル１１０の操作方向及び操作量に基づいて、設定変更が有効な項目の設定値を変更する。たとえば、シャッタースピードの設定変更が有効な場合、操作ダイヤル１１０の操作に応じて、シャッタースピードを変更する。
【０１６０】
一方、設定変更が有効な項目がない、と判定すると、設定変更部１５４は、設定変更の処理を行わず、操作ダイヤル１１０による操作を無効とする。この場合、操作ダイヤル１１０は、空回りする。
【０１６１】
なお、設定変更が有効な項目がない場合、サブディスプレー表示制御部７２Ａは、サブディスプレー１６のロックマークｍ１の表示を点滅させる（ステップＳ３３）。これにより、操作ダイヤル１１０がロックされていること、及び、操作が無効であることを認識できる。
【０１６２】
この後、設定変更部１５４は、電源がオフされたか否かを判定する（ステップＳ３４）。電源がオフされた、と判定すると、処理を終了する。一方、電源がオフされていない、と判定すると、ステップＳ３０に戻り、上記処理を再び実行する。
【０１６３】
このように、本実施の形態のデジタルカメラ１では、設定変更が有効にされている項目がある場合にのみ、操作ダイヤル１１０による操作が有効とされる。設定変更が有効にされている項目が１つもない場合、操作ダイヤル１１０の操作は無効とされる。この場合、操作ダイヤル１１０は、電子的にロックされる。
【０１６４】
図１２は、操作ダイヤルに対する有効な操作形態の一例を示す図である。
【０１６５】
図１２に示すように、操作ダイヤル１１０の天面に触れながら、操作ダイヤル１１０を回転操作することにより、操作ダイヤル１１０による設定変更が可能になる。この際、設定変更しようとする項目が割り当てられた領域を指で触れながら、操作ダイヤル１１０を回転操作する。
【０１６６】
図１２には、シャッタースピードを変更する場合の操作形態が示されている。この場合、同図に示すように、操作ダイヤル１１０の天面の前領域Ｄｆに触れながら、操作ダイヤル１１０を回転操作する。これにより、操作ダイヤル１１０の操作に応じて、シャッタースピードが変更される。
【０１６７】
露出補正値を変更する場合は、天面の中央領域Ｄｃに触れながら、操作ダイヤル１１０を回転操作する。これにより、操作ダイヤル１１０の操作に応じて、露出補正値が変更される。
【０１６８】
また、ＩＳＯ感度を変更する場合は、天面の後領域Ｄｒに触れながら、操作ダイヤル１１０を回転操作する。これにより、操作ダイヤル１１０の操作に応じて、ＩＳＯ感度が変更される。
【０１６９】
図１３は、操作ダイヤルに対する無効な操作形態の一例を示す図である。
【０１７０】
同図に示すように、天面に触れずに操作ダイヤル１１０を回転操作すると、その操作は無効とされる。この場合、設定は何も変更されず、操作ダイヤル１１０は空回りする。すなわち、天面に触れていない場合、操作ダイヤル１１０は電子的にロックされる。
【０１７１】
なお、操作ダイヤル１１０がロックされている場合、サブディスプレー１６にはロックマークｍ１が表示される。そして、ロックされた状態で操作ダイヤル１１０が回転操作されると、ロックマークｍ１が点滅する。これにより、操作ダイヤル１１０がロックされていることをユーザーに認識させることができる。
【０１７２】
一方、操作が有効な場合は、図１２に示すように、設定変更される項目の位置に設定変更有効マークｍ２が表示される。図１２に示す例では、シャッタースピードの設定変更が有効であるため、シャッタースピードの情報ｉ１が表示される位置に設定変更有効マークｍ２が表示されている。
【０１７３】
以上説明したように、本実施の形態のデジタルカメラ１によれば、天面に触れながら操作ダイヤル１１０を操作した場合にのみ、その設定変更が有効になる。これにより、意図せずに設定が変更されてしまうのを防止できる。また、設定変更を有効にする場合も操作ダイヤル１１０の天面に触れるだけなので、良好な操作性を提供できる。更に、メカニカルな機構でロックするのではなく、電子的にロックするので、操作ダイヤル１１０の構成も簡素化できる。
【０１７４】
また、本実施の形態のデジタルカメラ１によれば、操作ダイヤル１１０の天面に触れる位置を変えることによって、設定変更する項目を切り替えることができる。これにより、一つの操作ダイヤル１１０で複数の設定を行うことができる。また、触れる位置を変えるだけなので、簡単に切り替えられる。
【０１７５】
更に、本実施の形態のデジタルカメラ１によれば、操作ダイヤル１１０で設定変更される項目の設定値の情報が、操作ダイヤル１１０の近傍に備えられたサブディスプレー１６に表示される。これにより、簡単に設定状況を確認できる。
【０１７６】
［変形例］
《操作ダイヤルで設定変更する項目》
各領域に触れた場合に設定変更を有効にする項目は、カメラに備えられる機能等に応じて、適宜設定できる。上記実施の形態では、シャッタースピード、露出補正値、及び、ＩＳＯ感度の設定変更を有効にする場合を例に説明したが、この他、絞り値（Ｆ値）、撮影モード、フラッシュモード、オートフォーカスモード、測光モード等の設定変更を有効にしてもよい。
【０１７７】
また、各項目を割り当てる位置（領域）についても、任意に設定できる。たとえば、上記実施の形態のデジタルカメラにおいて、前領域ＤｆにＩＳＯ感度、中央領域Ｄｃにシャッタースピード、及び、後領域Ｄｒに露出補正値を割り当ててもよい。
【０１７８】
また、たとえば、前領域Ｄｆにシャッタースピードの設定変更、後領域Ｄｒに絞り値に設定変更を割り当て、中央領域Ｄｃにシフトの機能を割り当てることもできる。この場合、前領域Ｄｆに触れながら操作ダイヤル１１０を回転操作すると、シャッタースピードが変更され、後領域Ｄｒに触れながら操作ダイヤル１１０を回転操作すると、絞り値が変更される。そして、中央領域Ｄｃに触れながら操作ダイヤル１１０を回転操作すると、その時に設定されているシャッタースピード及び絞り値に基づいて、その組み合わせがシフトされる。
【０１７９】
《操作ダイヤルの天面に設定する接触検出部のレイアウト》
上記実施の形態では、接触検出部として、操作ダイヤル１１０の天面を３つの領域に分割し、各領域への接触を検出する構成としているが、操作ダイヤル１１０の天面に設定する接触検出部のレイアウトは、操作ダイヤルで設定する項目の数、操作ダイヤル１１０のサイズ等に応じて、適宜設定できる。
【０１８０】
〈２分割〉
図１４は、操作ダイヤル１１０の天面に設定する接触検出部のレイアウトの他の一例を示す平面図である。同図は、操作ダイヤル１１０の天面に２つの接触検出部を備える場合の一例を示している。
【０１８１】
本例では、操作ダイヤル１１０の天面を前後方向（ｚ方向）に２分割し、各領域において個別に接触を検出する構成としている。図１４中、斜線で示した領域が、各領域において接触を検出する領域である。この領域が接触検出部を構成する。
【０１８２】
タッチセンサー１３０は、前側の領域（前領域）Ｄｆに設定された接触検出領域Ｄｆｚへの接触を検出して、前領域Ｄｆの接触を検出する。また、後側の領域（後領域）Ｄｒに設定された接触検出領域Ｄｒｚへの接触を検出して、後領域Ｄｒへの接触を検出する。
【０１８３】
本例の場合、１つの操作ダイヤルによって、２つの項目の設定変更ができる。一例として、前領域Ｄｆにシャッタースピードの設定変更、後領域Ｄｒに露出補正値の設定変更を割り当てることができる。この場合、天面の前領域Ｄｆに触れながら操作ダイヤル１１０を回転操作すると、その操作に応じてシャッタースピードの設定が変化する。また、天面の後領域Ｄｒに触れながら操作ダイヤル１１０を回転操作すると、その操作に応じて露出補正値の設定が変化する。
【０１８４】
なお、本例では、前後方向に２分割しているが、左右方向に２分割してもよい。この場合、右領域と左領域とに２分割される。また、斜め方向に２分割してもよい。この場合、左前領域と右後領域とに分割される。あるいは、右前領域と左後領域とに分割される。
【０１８５】
〈４分割〉
図１５は、操作ダイヤル１１０の天面に設定する接触検出部のレイアウトの他の一例を示す平面図である。同図は、操作ダイヤル１１０の天面に４つの接触検出部を備える場合の一例を示している。
【０１８６】
本例では、操作ダイヤル１１０の天面を周方向に４分割し、各領域において個別に接触を検出する構成としている。図１５中、斜線で示した領域が、各領域において、接触を検出する領域である。この領域が接触検出部を構成する。
【０１８７】
タッチセンサー１３０は、左前側の領域（左前領域）Ｄｌｆに設定された接触検出領域Ｄｌｆｚへの接触を検出して、左前領域Ｄｌｆの接触を検出し、右前側の領域（右前領域）Ｄｒｆに設定された接触検出領域Ｄｒｆｚへの接触を検出して、右前領域Ｄｒｆの接触を検出する。また、タッチセンサー１３０は、左後側の領域（左後領域）Ｄｌｒに設定された接触検出領域Ｄｌｒｚへの接触を検出して、左後領域Ｄｌｒへの接触を検出し、右後側の領域（右後領域）Ｄｒｒに設定された接触検出領域Ｄｒｒｚへの接触を検出して、右後領域Ｄｒｒへの接触を検出する。
【０１８８】
本例の場合、１つの操作ダイヤルによって、４つの項目の設定変更ができる。一例として、左前領域Ｄｌｆにシャッタースピードの設定変更、右前領域Ｄｒｆに絞り値（Ｆ値）の設定変更、左後領域ＤｌｒにＩＳＯ感度の設定変更、右後領域Ｄｒｒに露出補正値の設定変更を割り当てることができる。この場合、天面の左前領域Ｄｌｆに触れながら操作ダイヤル１１０を回転操作すると、その操作に応じてシャッタースピードの設定が変化する。また、天面の右前領域Ｄｒｆに触れながら操作ダイヤル１１０を回転操作すると、その操作に応じて絞り値（Ｆ値）の設定が変化する。更に、天面の左後領域Ｄｌｒに触れながら操作ダイヤル１１０を回転操作すると、その操作に応じてＩＳＯ感度の設定が変化する。また、天面の右後領域Ｄｒｒに触れながら操作ダイヤル１１０を回転操作すると、その操作に応じて露出補正値の設定が変化する。
【０１８９】
なお、４分割の態様として、前後左右に４分割してもよい。この場合、前領域と、後領域と、右領域と、左領域とに分割される。
【０１９０】
〈５分割〉
図１６は、操作ダイヤル１１０の天面に設定する接触検出部のレイアウトの他の一例を示す平面図である。同図は、操作ダイヤル１１０の天面に５つの接触検出部を備える場合の一例を示している。
【０１９１】
本例では、中央と、その外周の４つの領域で接触を検出する構成としている。外周の４つの領域は、周方向に４等分割して設定されている。図１６中、斜線で示した領域が、各領域において、接触を検出する領域である。この領域が接触検出部を構成する。
【０１９２】
タッチセンサー１３０は、中央の領域（中央領域）Ｄｃに設定された接触検出領域Ｄｃｚへの接触を検出して、中央領域Ｄｃへの接触を検出する。また、タッチセンサー１３０は、左前側の領域（左前領域）Ｄｌｆに設定された接触検出領域Ｄｌｆｚへの接触を検出して、左前領域Ｄｌｆの接触を検出し、右前側の領域（右前領域）Ｄｒｆに設定された接触検出領域Ｄｒｆｚへの接触を検出して、右前領域Ｄｒｆの接触を検出する。更に、タッチセンサー１３０は、左後側の領域（左後領域）Ｄｌｒに設定された接触検出領域Ｄｌｒｚへの接触を検出して、左後領域Ｄｌｒへの接触を検出し、右後側の領域（右後領域）Ｄｒｒに設定された接触検出領域Ｄｒｒｚへの接触を検出して、右後領域Ｄｒｒへの接触を検出する。
【０１９３】
本例の場合、１つの操作ダイヤルによって、５つの項目の設定変更ができる。一例として、中央領域Ｄｃに露出補正値の設定変更、左前領域Ｄｌｆにシャッタースピードの設定変更、右前領域Ｄｒｆに絞り値（Ｆ値）の設定変更、左後領域ＤｌｒにＩＳＯ感度の設定変更、右後領域Ｄｒｒに撮影モードの設定変更を割り当てることができる。この場合、天面の中央領域Ｄｃに触れながら操作ダイヤル１１０を回転操作すると、その操作に応じて露出補正値の設定が変化する。また、天面の左前領域Ｄｌｆに触れながら操作ダイヤル１１０を回転操作すると、その操作に応じてシャッタースピードの設定が変化する。また、天面の右前領域Ｄｒｆに触れながら操作ダイヤル１１０を回転操作すると、その操作に応じて絞り値（Ｆ値）の設定が変化する。更に、天面の左後領域Ｄｌｒに触れながら操作ダイヤル１１０を回転操作すると、その操作に応じてＩＳＯ感度の設定が変化する。また、天面の右後領域Ｄｒｒに触れながら操作ダイヤル１１０を回転操作すると、その操作に応じて撮影モードの設定が変化する。
【０１９４】
《接触検出部の構成》
上記実施の形態では、各領域に設定された接触検出領域への接触を１つのタッチセンサーで検出する構成としているが、領域ごとにタッチセンサーを配置して、個別に接触を検出する構成としてもよい。
【０１９５】
《サブディスプレーの表示》
上記実施の形態では、特定の項目について設定変更が有効にされると、サブディスプレーにおいて、その項目の設定値を大きく表示しているが、設定変更が有効にされた場合におけるサブディスプレーの表示態様は、これに限定されるものではない。
【０１９６】
図１７は、設定変更が有効にされた場合のサブディスプレーの表示の他の一例を示す平面図である。同図は、シャッタースピードの設定変更が有効にされた場合のサブディスプレー１６の表示の一例を示している。
【０１９７】
同図に示すように、設定変更が有効にされた場合、設定変更が有効にされた項目の情報のみをサブディスプレー１６に表示してもよい。この場合、同図に示すように、拡大して表示することが好ましい。これにより、サブディスプレー１６を見ながら、所望の項目について、容易に設定を変更できる。
【０１９８】
図１８は、設定変更が有効にされた場合のサブディスプレーの表示の他の一例を示す平面図である。同図は、シャッタースピードの設定変更が有効にされた場合のサブディスプレー１６の表示の一例を示している。
【０１９９】
同図に示すように、設定変更が有効にされた場合、設定変更が有効にされた項目の情報を拡大して表示し、他の項目は、半透明化して表示してもよい。これにより、操作ダイヤル１１０で設定する項目の情報を見やすくしつつ、他の項目の設定値も確認できる。
【０２００】
図１９は、設定変更が有効にされた場合のサブディスプレーの表示の他の一例を示す平面図である。同図は、シャッタースピードの設定変更が有効にされた場合のサブディスプレー１６の表示の一例を示している。
【０２０１】
同図に示すように、設定変更が有効にされた場合、設定変更が有効にされた項目の情報が大きく表示されるように、表示のレイアウトを変更してもよい。これにより、操作ダイヤル１１０で設定する項目の情報を見やすくしつつ、他の項目の設定値も確認できる。
【０２０２】
〔第２の実施の形態〕
図２０は、第２の実施の形態のデジタルカメラの要部を拡大した図である。具体的には、操作ダイヤル１１０及びサブディスプレー１６の設置部を拡大した平面図である。
【０２０３】
同図に示すように、本実施の形態のデジタルカメラ１は、操作ダイヤル１１０の天面の分割態様が上記第１の実施の形態のデジタルカメラ１と異なる。
【０２０４】
なお、その他の構成は、上述した第１の実施の形態のデジタルカメラ１と同じである。したがって、ここでは相違点に関わる構成、及び、作用についてのみ説明する。
【０２０５】
［構成］
図２０に示すように、本実施の形態のデジタルカメラ１は、操作ダイヤル１１０の天面が、前後方向（ｚ方向）に２分割される。以下、前側の領域を前領域Ｄｆ、後側の領域を後領域Ｄｒと称する。
【０２０６】
前領域Ｄｆ及び後領域Ｄｒの各領域には、それぞれ接触検出領域が設定される。接触検出領域は、前領域Ｄｆ及び後領域Ｄｒの各領域において、指の接触を検出する領域である。図２０において、斜線で示した領域が、前領域Ｄｆ及び後領域Ｄｒの各領域に設定された接触検出領域である。各領域の接触検出領域は、楕円形状の領域として、各領域内に設定され、操作ダイヤル１１０の軸を中心に前後方向に対称に設定される。
【０２０７】
タッチセンサー１３０は、前領域Ｄｆ及び後領域Ｄｒの各領域に設定された接触検出領域Ｄｆｚ及びＤｒｚへの接触を検出する。本例では、接触検出領域Ｄｆｚ及びＤｒｚが接触検出部を構成する。
【０２０８】
［作用］
本実施の形態のデジタルカメラ１では、操作ダイヤル１１０の天面の前領域Ｄｆに触れると、シャッタースピードの設定変更が可能になる。また、天面の後領域Ｄｒに触れると、露出補正値の設定変更が可能になる。更に、前領域Ｄｆと後領域Ｄｒとを同時に触れると、ＩＳＯ感度の設定変更が可能になる。このように、本実施の形態のデジタルカメラ１では、前領域Ｄｆと後領域Ｄｒとを組み合わせて触れた場合にも、特定の項目の設定変更が可能になる。
【０２０９】
図２１は、操作ダイヤルで設定可能な項目の設定変更の有効と無効とを切り替える処理の手順を示すフローチャートである。
【０２１０】
デジタルカメラ１の電源が投入されると、切替部１５２は、操作ダイヤル１１０で設定可能な全ての項目の操作ダイヤル１１０による設定変更を無効する（ステップＳ４０）。本実施の形態のデジタルカメラ１では、操作ダイヤル１１０によって、シャッタースピード、露出補正値、及び、ＩＳＯ感度の設定変更が可能であるため、切替部１５２は、操作ダイヤル１１０によるシャッタースピード、露出補正値、及び、ＩＳＯ感度の設定変更を無効にする。
【０２１１】
この後、切替部１５２は、操作ダイヤル１１０の天面への接触の有無を判定する（ステップＳ４１）。
【０２１２】
天面への接触あり、と判定すると、切替部１５２は、前領域Ｄｆ及び後領域Ｄｒの両方の領域への接触であるか否かを判定する（ステップＳ４２）。接触が検出された領域が、両方の領域であるか否かは、タッチセンサー１３０の検出結果に基づいて判定する。すなわち、前領域Ｄｆに設定された接触検出領域Ｄｆｚと後領域に設定された接触検出領域Ｄｒｚの両方で接触が検出されているか否かを判定して、両方の領域への接触であるか否かを判定する。
【０２１３】
前領域Ｄｆ及び後領域Ｄｒの両方の領域への接触であると判定すると、切替部１５２は、組み合わせに対して設定された項目の設定変更を有効にする（ステップＳ４３）。本実施の形態のデジタルカメラ１では、組み合わせに対して設定変更する項目として、ＩＳＯ感度が割り当てられている。したがって、この場合、切替部１５２は、ＩＳＯ感度の設定変更を有効にする。
【０２１４】
なお、ＩＳＯ感度の設定変更が有効になると、サブディスプレー１６において、ＩＳＯ感度の情報ｉ３が大きく表示される。また、ＩＳＯ感度の情報ｉ３の表示位置に設定変更有効マークｍ２が表示される。これにより、サブディスプレー１６の表示からＩＳＯ感度の設定変更が可能であることを認識できる。
【０２１５】
両方の領域への接触ではない、と判定すると、切替部１５２は、前領域Ｄｆへの接触であるか否かを判定する（ステップＳ４４）。そして、接触が、前領域Ｄｆへの接触であると判定すると、切替部１５２は、前領域Ｄｆに設定された項目の設定変更を有効にする（ステップＳ４５）。本実施の形態のデジタルカメラ１では、前領域Ｄｆに単独で触れた場合、設定変更する項目としてシャッタースピードが割り当てられている。したがって、この場合、切替部１５２は、シャッタースピードの設定変更を有効にする。
【０２１６】
なお、シャッタースピードの設定変更が有効になると、サブディスプレー１６において、シャッタースピードの情報ｉ１が大きく表示される。また、シャッタースピードの情報ｉ１の表示位置に設定変更有効マークｍ２が表示される。これにより、サブディスプレー１６の表示からシャッタースピードの設定変更が可能であることを認識できる。
【０２１７】
接触が検出された領域が、前領域Ｄｆではない、と判定すると、切替部１５２は、接触が検出された領域が、後領域Ｄｒであると認定する。接触が検出された領域が、後領域Ｄｒであると認定すると、切替部１５２は、後領域Ｄｒに設定された項目の設定変更を有効にする（ステップＳ４６）。本実施の形態のデジタルカメラ１では、後領域Ｄｒに単独で触れた場合、設定変更する項目として露出補正値が割り当てられている。したがって、この場合、切替部１５２は、露出補正値の設定変更を有効にする。
【０２１８】
なお、露出補正値の設定変更が有効になると、サブディスプレー１６において、露出補正値の情報ｉ４が大きく表示される。また、露出補正値の情報ｉ４の表示位置に設定変更有効マークｍ２が表示される。これにより、サブディスプレー１６の表示から露出補正値の設定変更が可能であることを認識できる。
【０２１９】
この後、切替部１５２は、タッチセンサー１３０からの出力に基づいて、操作ダイヤル１１０の天面への接触が終了したか否かを判定する（ステップＳ４７）。
【０２２０】
操作ダイヤル１１０の天面への接触が終了した、と判定すると、切替部１５２は、設定変更を有効にしていた項目の設定変更を無効に切り替える（ステップＳ４８）。
【０２２１】
この後、切替部１５２は、電源がオフされたか否かを判定する（ステップＳ４９）。電源がオフされた、と判定すると、処理を終了する。一方、電源がオフされていない、と判定すると、ステップＳ４１に戻り、上記処理を再び実行する。
【０２２２】
このように、本実施の形態のデジタルカメラ１では、前領域Ｄｆと後領域Ｄｒとを組み合わせて触れた場合にも、特定の項目の設定変更が可能になる。これにより、接触検出部の設定数を少なくできる。
【０２２３】
［変形例］
《操作ダイヤルで設定変更する項目》
上記第１の実施の形態のデジタルカメラ１と同様に、各領域に触れた場合に設定変更を有効にする項目は、カメラに備えられる機能等に応じて、適宜設定できる。
【０２２４】
たとえば、図２０に示す構成において、天面の前領域Ｄｆに触れると、シャッタースピードの設定変更が有効になり、天面の後領域Ｄｒに触れると、絞り値（Ｆ値）の設定変更が有効になるように設定にする。そして、前領域Ｄｆと後領域Ｄｒとを同時に触れると、撮影モードがプログラムモードに切り替わり、操作ダイヤルによってプログラムシフトが可能になるように設定する。なお、プログラムモードとは、露出を一定にしたまま、絞り値とシャッタースピードの組み合わせを変更できるモードをいう。この場合、操作ダイヤル１１０の回転操作に応じて、絞り値とシャッタースピードの組み合わせが変更する。すなわち、プログラムシフトされる。たとえば、操作ダイヤル１１０をプラス方向に回転させると、シャッタースピードが速くなり（絞り値は大きくなる）、マイナス方向に回転させると、シャッタースピードが遅くなる（絞り値は小さくなる）ように設定変更される。
【０２２５】
また、たとえば、図１５に示すように、操作ダイヤル１１０の天面を４分割した構成において、左前領域Ｄｌｆに触れると、シャッタースピードの設定変更が有効になり、右前領域Ｄｒｆに触れると、絞り値（Ｆ値）の設定変更が有効になり、左後領域Ｄｌｒに触れると、ＩＳＯ感度の設定変更が有効になり、右後領域Ｄｒｒに触れると、撮影モードの設定変更が有効になるように設定する。そして、左前領域Ｄｌｆと右前領域Ｄｒｆとを同時に触れると、撮影モードがプログラムモードに切り替わり、操作ダイヤルによってプログラムシフトが可能になるように設定する。
【０２２６】
このように、各領域に触れた場合に設定変更を有効にする項目は、適宜設定できる。
【０２２７】
〔第３の実施の形態〕
図２２は、第３の実施の形態のデジタルカメラの要部を拡大した図である。具体的には、操作ダイヤル１１０及びサブディスプレー１６の設置部を拡大した平面図である。
【０２２８】
本実施の形態のデジタルカメラ１は、操作ダイヤル１１０の天面の特定の位置に触れることで、撮影モードが切り替わる。また、切り替わった撮影モードに応じて、操作ダイヤルで設定可能な項目が切り替わる。
【０２２９】
なお、以下においては、上述した第１の実施の形態のデジタルカメラ１との相違点についてのみ説明する。
【０２３０】
操作ダイヤル１１０は、天面が３つの領域に分割される。分割の態様は、上記第１の実施の形態のデジタルカメラ１と同じである。すなわち、前領域Ｄｆ、中央領域Ｄｃ、及び、後領域Ｄｒの３つの領域に分割される。
【０２３１】
前領域Ｄｆに触れると、撮影モードがシャッタースピード優先モードに設定される。中央領域Ｄｃに触れると、撮影モードがプログラムモードに設定される。後領域Ｄｒに触れると、撮影モードが絞り優先モードに設定される。また、天面に触れずに操作ダイヤル１１０を回転操作すると、撮影モードがオートモードに設定される。
【０２３２】
ここで、シャッタースピード優先モードとは、ユーザーが選択したシャッタースピードに対して適正露出となるような絞り値をカメラが自動的に決定するモードをいう。シャッタースピード優先モードの場合、操作ダイヤル１１０には、シャッタースピードを設定する機能が割り当てられる。
【０２３３】
プログラムモードとは、上記のように、露出を一定にしたまま、ユーザーが絞り値とシャッタースピードの組み合わせを変更できるモードをいう。プログラムモードの場合、操作ダイヤル１１０には、プログラムシフトの機能が割り当てられる。すなわち、シャッタースピードと絞り値との組み合わせを変更する機能が割り当てられる。
【０２３４】
絞り優先モードとは、ユーザーが選択した絞り値に対して適正露出となるようなシャッタースピードをカメラが自動的に決定するモードをいう。絞り優先モードの場合、操作ダイヤル１１０には、絞り値を設定する機能が割り当てられる。
【０２３５】
オートモードとは、測光結果に基づいて、適正露出となるように、絞り値及びシャッタースピードをカメラが自動的に決定するモードをいう。すなわち、全ての設定をカメラが自動的に行うモードである。オートモードの場合、操作ダイヤル１１０の操作は無効とされる。すなわち、操作ダイヤル１１０を回転操作しても、何も変更されない。
【０２３６】
図２３は、操作ダイヤル１１０を使用した設定システムの概略構成を示すブロック図である。
【０２３７】
同図に示すように、設定システム１５０には、撮影モード切替部１５６が備えられる。撮影モード切替部１５６は、タッチセンサー１３０及び回転検出部１２６の検出結果に基づいて、撮影モードを切り替える。
【０２３８】
撮影モード切替部１５６は、タッチセンサー１３０が前領域Ｄｆに触れたことを検出すると、撮影モードをシャッタースピード優先モードに設定する。なお、タッチセンサー１３０は、前領域Ｄｆに設定された接触検出領域Ｄｆｚへの接触を検出して、前領域Ｄｆに接触されたことを検出する（図６参照）。
【０２３９】
また、撮影モード切替部１５６は、タッチセンサー１３０が中央領域Ｄｃに触れたことを検出すると、撮影モードをプログラムモードに設定する。なお、タッチセンサー１３０は、中央領域Ｄｃに設定された接触検出領域Ｄｃｚへの接触を検出して、中央領域Ｄｃに接触されたことを検出する（図６参照）。
【０２４０】
また、撮影モード切替部１５６は、タッチセンサー１３０が後領域Ｄｒに触れられたことを検出すると、撮影モードを絞り優先モードに設定する。なお、タッチセンサー１３０は、後領域Ｄｒに設定された接触検出領域Ｄｒｚへの接触を検出して、後領域Ｄｒに接触されたことを検出する（図６参照）。
【０２４１】
また、撮影モード切替部１５６は、タッチセンサー１３０からの出力がない状態、すなわち、非接触な状態で、回転検出部１２６が操作ダイヤル１１０の回転を検出すると、撮影モードをオートモードに設定する。
【０２４２】
撮影モード切替部１５６の機能は、システムコントローラー８０の一機能として提供される。すなわち、システムコントローラー８０を構成するマイクロコンピューターが、所定の制御プログラムを実行することにより、撮影モード切替部１５６の機能がシステムコントローラー８０によって提供される。
【０２４３】
切替部１５２は、タッチセンサー１３０からの出力に基づいて、撮影モードごとに設定された項目の設定変更の有効と無効とを切り替える。
【０２４４】
ここで、撮影モードは、上記のように、タッチセンサー１３０が接触を検出する領域に応じて切り替わる。したがって、設定変更の有効と無効とを切り替える項目もタッチセンサー１３０が接触を検出する領域に応じて切り替わる。
【０２４５】
具体的には、タッチセンサー１３０が、前領域Ｄｆへの接触を検出すると、切替部１５２は、接触を検出している間、シャッタースピードの設定変更を有効にする。なお、この場合、撮影モードは、シャッタースピード優先モードに設定される。
【０２４６】
タッチセンサー１３０が、中央領域Ｄｃへの接触を検出すると、切替部１５２は、接触を検出している間、プログラムシフトを有効にする。すなわち、シャッタースピード及び絞り値の組み合わせの設定変更を有効にする。なお、この場合、撮影モードは、プログラムモードに設定される。
【０２４７】
タッチセンサー１３０が、後領域Ｄｒへの接触を検出すると、切替部１５２は、接触を検出している間、絞り値の設定変更を有効にする。なお、この場合、撮影モードは、絞り優先モードに設定される。
【０２４８】
［デジタルカメラの動作］
まず、操作ダイヤル１１０で設定可能な項目の設定変更の有効と無効とを切り替える方法について説明する。
【０２４９】
図２４は、撮影モードを切り替える処理の手順を示すフローチャートである。
【０２５０】
デジタルカメラ１の電源が投入されると、撮影モード切替部１５６は、撮影モードをオートモードに設定する（ステップＳ６０）。
【０２５１】
この後、撮影モード切替部１５６は、操作ダイヤル１１０の天面への接触の有無を判定する（ステップＳ６１）。
【０２５２】
天面への接触あり、と判定すると、撮影モード切替部１５６は、接触が検出された領域が前領域Ｄｆであるか否かを判定する（ステップＳ６２）。
【０２５３】
接触が検出された領域が前領域Ｄｆの場合、撮影モード切替部１５６は、撮影モードをシャッタースピード優先モードに設定する（ステップＳ６３）。なお、この場合、接触が検出されている間、切替部１５２によって、シャッタースピードの設定変更が有効とされる。
【０２５４】
接触が検出された領域が前領域Ｄｆではない、と判定すると、撮影モード切替部１５６は、接触が検出された領域が中央領域Ｄｃであるか否かを判定する（ステップＳ６４）。
【０２５５】
接触が検出された領域が中央領域Ｄｃである、と判定すると、撮影モード切替部１５６は、撮影モードを、プログラムモードに設定する（ステップＳ６５）。なお、この場合、接触が検出されている間、切替部１５２によって、プログラムシフトが有効とされる。
【０２５６】
接触が検出された領域が中央領域Ｄｃではない、と判定すると、撮影モード切替部１５６は、接触が検出された領域が、後領域Ｄｒであると認定する。この場合、撮影モード切替部１５６は、撮影モードを絞り優先モードに設定する（ステップＳ６６）。この場合、接触が検出されている間、切替部１５２によって、絞り値の設定変更が有効とされる。
【０２５７】
この後、撮影モード切替部１５６は、天面を非接触で操作ダイヤル１１０が回転操作されたか否かを判定する（ステップＳ６７）。
【０２５８】
非接触で回転操作された、と判定すると、撮影モード切替部１５６は、撮影モードをオートモードに設定する（ステップＳ６８）。
【０２５９】
この後、撮影モード切替部１５６は、電源がオフされたか否かを判定する（ステップＳ６９）。電源がオフされた、と判定すると、処理を終了する。一方、電源がオフされていない、と判定すると、ステップＳ６１に戻り、上記処理を再び実行する。
【０２６０】
このように、操作ダイヤル１１０の天面に触れると、触れた領域に応じて撮影モードが切り替わる。一度設定された撮影モードは、天面から指を離しても維持される。また、天面に触れずに操作ダイヤル１１０を回転操作すると、撮影モードがオートモードに切り替わる。
【０２６１】
次に、操作ダイヤル１１０を回転操作して、設定変更する場合の処理について説明する。
【０２６２】
図２５は、操作ダイヤル１１０の操作に基づく設定変更の処理の手順を示すフローチャートである。
【０２６３】
デジタルカメラ１の電源が投入されると、設定変更部１５４は、操作ダイヤル１１０が回転操作されたか否かを判定する（ステップＳ８０）。
【０２６４】
操作ダイヤル１１０が回転操作された、と判定すると、設定変更部１５４は、切替部１５２の設定に基づいて、設定変更が有効な項目があるか否かを判定する（ステップＳ８１）。なお、設定変更が有効とされるのは、操作ダイヤル１１０の天面への接触が検出されている場合だけである。
【０２６５】
設定変更が有効な項目がある、と判定すると、設定変更部１５４は、操作ダイヤル１１０の操作に基づいて、設定変更が有効な項目の設定値を変更する（ステップＳ８２）。
【０２６６】
上記のように、設定変更が有効な項目は、撮影モードによって定められる。シャッタースピード優先モードの場合、シャッタースピードの設定変更が有効とされる。したがって、この場合、操作ダイヤル１１０に応じて、シャッタースピードが変更される。プログラムモードの場合、プログラムシフトが有効とされる。したがって、この場合、操作ダイヤル１１０に応じて、プログラムシフトされる。すなわち、シャッタースピード及び絞り値の組み合わせが変更される。絞り優先モードの場合、絞り値の設定変更が有効とされる。したがって、この場合、操作ダイヤル１１０に応じて、絞り値が変更される。
【０２６７】
なお、設定変更が有効な項目がない場合、すなわち、天面に触れずに操作ダイヤル１１０が回転操作されている場合、設定変更は行われない。
【０２６８】
この後、設定変更部１５４は、電源がオフされたか否かを判定する（ステップＳ８４）。電源がオフされた、と判定すると、処理を終了する。一方、電源がオフされていない、と判定すると、ステップＳ８０に戻り、上記処理を再び実行する。
【０２６９】
このように、設定変更が有効にされている項目がある場合にのみ、操作ダイヤル１１０による操作が有効とされる。そして、設定変更が有効にされる項目は、撮影モードに応じて切り替えられる。これにより、状況に応じて、最適な機能を操作ダイヤル１１０に割り当てることができ、良好な操作性を提供できる。
【０２７０】
また、設定変更が有効にされている項目が１つもない場合、操作ダイヤル１１０の操作は無効とされる。この場合、操作ダイヤル１１０は、電子的にロックされる。これにより、不用意に設定が変更されるのを防止できる。
【０２７１】
なお、設定された撮影モードに応じて、サブディスプレー１６の表示も切り替えられる。
【０２７２】
図２６は、シャッタースピード優先モードに設定された場合のサブディスプレーの表示の一例を示す図である。
【０２７３】
同図に示すように、撮影モードがシャッタースピード優先モードに設定されると、サブディスプレー１６には、撮影モードがシャッタースピード優先モードに設定されたことを示すアイコンが、撮影モードの情報ｉ５として表示される。このアイコンは、黒い四角内にＳの文字が表示された図形により構成される。
【０２７４】
また、撮影モードがシャッタースピード優先モードに設定されると、シャッタースピードの情報ｉ１が大きく表示される。
【０２７５】
更に、設定変更が有効な場合、すなわち、前領域Ｄｆへの接触が検出されている場合、シャッタースピードの情報ｉ１の表示位置に設定変更有効マークｍ２が表示される。
【０２７６】
一方、設定変更が無効な場合、すなわち、操作ダイヤル１１０の天面への接触が検出されていない場合、サブディスプレー１６には、所定位置にロックマークｍ１が表示される（図２９参照）。
【０２７７】
図２７は、プログラムモードに設定された場合のサブディスプレーの表示の一例を示す図である。
【０２７８】
同図に示すように、撮影モードがプログラムモードに設定されると、サブディスプレー１６には、撮影モードがプログラムモードに設定されたことを示すアイコンが、撮影モードの情報ｉ５として表示される。このアイコンは、黒い四角内にＰの文字が表示された図形により構成される。
【０２７９】
また、撮影モードがプログラムモードに設定されると、シャッタースピードの情報ｉ１及び絞り値の情報ｉ２が大きく表示される。
【０２８０】
更に、設定変更が有効な場合、すなわち、中央領域Ｄｃへの接触が検出されている場合、シャッタースピードの情報ｉ１の表示位置、及び、絞り値の情報ｉ２の表示位置に設定変更有効マークｍ２が表示される。
【０２８１】
一方、設定変更が無効な場合、すなわち、操作ダイヤル１１０の天面への接触が検出されていない場合、サブディスプレー１６には、所定位置にロックマークｍ１が表示される（図２９参照）。
【０２８２】
図２８は、絞り優先モードに設定された場合のサブディスプレーの表示の一例を示す図である。
【０２８３】
同図に示すように、撮影モードが絞り優先モードに設定されると、サブディスプレー１６には、撮影モードが絞り優先モードに設定されたことを示すアイコンが、撮影モードの情報ｉ５として表示される。このアイコンは、黒い四角内にＡの文字が表示された図形により構成される。
【０２８４】
また、撮影モードが絞り優先モードに設定されると、絞りの情報ｉ２が大きく表示される。
【０２８５】
更に、設定変更が有効な場合、すなわち、後領域Ｄｒへの接触が検出されている場合、絞りの情報ｉ１の表示位置に設定変更有効マークｍ２が表示される。
【０２８６】
一方、設定変更が無効な場合、すなわち、操作ダイヤル１１０の天面への接触が検出されていない場合、サブディスプレー１６には、所定位置にロックマークｍ１が表示される（図２９参照）。
【０２８７】
図２９は、オートモードに設定された場合のサブディスプレーの表示の一例を示す図である。
【０２８８】
同図に示すように、撮影モードがオートモードに設定されると、サブディスプレー１６には、撮影モードがオートモードに設定されたことを示すアイコンが、撮影モードの情報ｉ５として表示される。このアイコンは、黒い四角内にＡＵＴＯの文字が表示された図形により構成される。
【０２８９】
また、撮影モードがオートモードに設定されると、サブディスプレー１６には、所定位置にロックマークｍ１が表示される。
【０２９０】
［変形例］
《設定する撮影モード》
接触を検出した場合に設定するモードについては、カメラが有する撮影モードに応じて適宜設定できる。また、設定したモードに応じて操作ダイヤルに割り当てる機能についても、設定するモードに応じて適宜設定できる。
【０２９１】
また、上記実施の形態では、天面に触れずに操作ダイヤル１１０を回転操作すると、オートモードに切り替わる構成にしているが、オートモードに切り替えない構成としてもよい。この場合、最後に接触した領域に設定された撮影モードが維持される。
【０２９２】
また、オートモードに切り替える場合は、その切り替えを指示する方法は、上記実施の形態のものに限定されない。たとえば、専用の切替ボタンを用意し、この切替ボタンが押されると、オートモードに切り替わる構成としてもよい。
【０２９３】
《操作ダイヤルの天面に設定する接触検出部のレイアウト》
上記実施の形態では、操作ダイヤル１１０の天面を３つの領域に分割しているが、分割の態様、すなわち、操作ダイヤル１１０の天面に設定する接触検出部のレイアウトは、カメラが有する撮影モード等に応じて、適宜設定できる。
【０２９４】
図３０は、操作ダイヤル１１０の天面に４つの接触検出部を設定した場合の一例を示す平面図である。
【０２９５】
同図に示す例では、操作ダイヤル１１０の天面を周方向に４等分割し、各領域の接触を個別に検出する構成としている。
【０２９６】
また、同図では、天面の左前領域Ｄｌｆに触れると、撮影モードがシャッタースピード優先モードに設定され、右前領域Ｄｒｆに触れると、撮影モードが絞り優先モードに設定され、左後領域Ｄｌｒに触れると、撮影モードがプログラムモードに設定され、右後領域Ｄｒｒに触れると、オートモードに設定される場合の例を示している。
【０２９７】
したがって、この場合、天面の左前領域Ｄｌｆに触れながら操作ダイヤル１１０を回転操作すると、その操作に応じてシャッタースピードが変更する。
【０２９８】
また、天面の右前領域Ｄｒｆに触れながら操作ダイヤル１１０を回転操作すると、その操作に応じて絞り値が変更する。
【０２９９】
また、天面の左後領域Ｄｌｒに触れながら操作ダイヤル１１０を回転操作すると、その操作に応じてプログラムシフトされる。
【０３００】
その一方で、右後領域Ｄｒｒに触れながら操作ダイヤル１１０を回転操作しても、その操作は無効とされ、設定は何も変更されない。
【０３０１】
〔第４の実施の形態〕
図３１は、第４の実施の形態のデジタルカメラ１の要部を拡大した図である。具体的には、操作ダイヤル１１０及びサブディスプレー１６の設置部を拡大した平面図である。
【０３０２】
本実施の形態のデジタルカメラ１は、操作ダイヤル１１０の天面の特定の位置に触れることで、撮影モードが切り替わる点、及び、その切り替わりに連動して操作ダイヤルで設定可能な項目が切り替わる点で上記第３の実施の形態のデジタルカメラ１と共通する。
【０３０３】
本実施の形態のデジタルカメラ１は、複数の領域を同時に触れると、その触れた領域の組み合わせによって、特定の撮影モードに切り替わる。
【０３０４】
図３１に示すように、操作ダイヤル１１０の天面の分割の態様は、上記第２の実施の形態のデジタルカメラ１と同じである。すなわち、操作ダイヤル１１０の天面が、前後方向（ｚ方向）に２分割され、前領域Ｄｆと後領域Ｄｒとに分割される。
【０３０５】
本実施の形態のデジタルカメラ１では、操作ダイヤル１１０の天面の前領域Ｄｆに触れると、撮影モードがシャッタースピード優先モードに設定される。また、操作ダイヤル１１０の天面の後領域Ｄｒに触れると、撮影モードが絞り優先モードに設定される。また、前領域Ｄｆと後領域Ｄｒとを同時に触れると、撮影モードがプログラムモードに設定される。また、天面に触れずに操作ダイヤルが回転操作されると、撮影モードがオートモードに設定される。
【０３０６】
設定システムの構成は、上記第３の実施の形態のデジタルカメラ１と同じである。したがって、ここでは、デジタルカメラの動作についてのみ説明する。
【０３０７】
図３２は、撮影モードを切り替える処理の手順を示すフローチャートである。
【０３０８】
デジタルカメラ１の電源が投入されると、撮影モード切替部１５６は、撮影モードをオートモードに設定する（ステップＳ９０）。
【０３０９】
この後、撮影モード切替部１５６は、操作ダイヤル１１０の天面への接触の有無を判定する（ステップＳ９１）。
【０３１０】
天面への接触あり、と判定すると、撮影モード切替部１５６は、接触が検出された領域が前領域Ｄｆ及び後領域Ｄｒの両方であるか否かを判定する（ステップＳ９２）。
【０３１１】
接触が検出された領域が前領域Ｄｆ及び後領域Ｄｒの両方の場合、撮影モード切替部１５６は、撮影モードをプログラムモードに設定する（ステップＳ９３）。なお、この場合、接触が検出されている間、切替部１５２によって、プログラムシフトが有効とされる。
【０３１２】
接触が検出された領域が前領域Ｄｆ及び後領域Ｄｒの両方ではない、と判定すると、撮影モード切替部１５６は、接触が検出された領域が前領域Ｄｆであるか否かを判定する（ステップＳ９４）。
【０３１３】
接触が検出された領域が前領域Ｄｆである、と判定すると、撮影モード切替部１５６は、撮影モードを、シャッタースピード優先モードに設定する（ステップＳ９５）。なお、この場合、接触が検出されている間、切替部１５２によって、シャッタースピードの設定変更が有効とされる。
【０３１４】
接触が検出された領域が前領域Ｄｆではない、と判定すると、撮影モード切替部１５６は、接触が検出された領域が、後領域Ｄｒであると認定する。この場合、撮影モード切替部１５６は、撮影モードを絞り優先モードに設定する（ステップＳ９６）。この場合、接触が検出されている間、切替部１５２によって、絞り値の設定変更が有効とされる。
【０３１５】
この後、撮影モード切替部１５６は、天面を非接触で操作ダイヤル１１０が回転操作されたか否かを判定する（ステップＳ９７）。
【０３１６】
非接触で回転操作された、と判定すると、撮影モード切替部１５６は、撮影モードをオートモードに設定する（ステップＳ９８）。
【０３１７】
この後、撮影モード切替部１５６は、電源がオフされたか否かを判定する（ステップＳ９９）。電源がオフされた、と判定すると、処理を終了する。一方、電源がオフされていない、と判定すると、ステップＳ９１に戻り、上記処理を再び実行する。
【０３１８】
このように、操作ダイヤル１１０の天面に触れると、触れた領域に応じて撮影モードが切り替わる。一度設定された撮影モードは、天面から指を離しても維持される。また、天面に触れずに操作ダイヤル１１０を回転操作すると、撮影モードがオートモードに切り替わる。
【０３１９】
上記第３の実施の形態のデジタルカメラ１と同様に、設定された撮影モードに応じて、サブディスプレー１６の表示も切り替えられる。
【０３２０】
図３３は、シャッタースピード優先モードに設定された場合のサブディスプレーの表示の一例を示す図である。
【０３２１】
同図に示すように、撮影モードがシャッタースピード優先モードに設定されると、サブディスプレー１６には、撮影モードがシャッタースピード優先モードに設定されたことを示すアイコンが、撮影モードの情報ｉ５として表示される。
【０３２２】
また、撮影モードがシャッタースピード優先モードに設定されると、シャッタースピードの情報ｉ１が大きく表示される。
【０３２３】
更に、設定変更が有効な場合、すなわち、前領域Ｄｆへの接触が検出されている場合、シャッタースピードの情報ｉ１の表示位置に設定変更有効マークｍ２が表示される。
【０３２４】
一方、設定変更が無効な場合、すなわち、操作ダイヤル１１０の天面への接触が検出されていない場合、サブディスプレー１６には、所定位置にロックマークｍ１が表示される（図３６参照）。
【０３２５】
図３４は、プログラムモードに設定された場合のサブディスプレーの表示の一例を示す図である。
【０３２６】
同図に示すように、撮影モードがプログラムモードに設定されると、サブディスプレー１６には、撮影モードがプログラムモードに設定されたことを示すアイコンが、撮影モードの情報ｉ５として表示される。
【０３２７】
また、撮影モードがプログラムモードに設定されると、シャッタースピードの情報ｉ１及び絞り値の情報ｉ２が大きく表示される。
【０３２８】
更に、設定変更が有効な場合、すなわち、中央領域Ｄｃへの接触が検出されている場合、シャッタースピードの情報ｉ１の表示位置、及び、絞り値の情報ｉ２の表示位置に設定変更有効マークｍ２が表示される。
【０３２９】
一方、設定変更が無効な場合、すなわち、操作ダイヤル１１０の天面への接触が検出されていない場合、サブディスプレー１６には、所定位置にロックマークｍ１が表示される（図３６参照）。
【０３３０】
図３５は、絞り優先モードに設定された場合のサブディスプレーの表示の一例を示す図である。
【０３３１】
同図に示すように、撮影モードが絞り優先モードに設定されると、サブディスプレー１６には、撮影モードが絞り優先モードに設定されたことを示すアイコンが、撮影モードの情報ｉ５として表示される。
【０３３２】
また、撮影モードが絞り優先モードに設定されると、絞りの情報ｉ２が大きく表示される。
【０３３３】
更に、設定変更が有効な場合、すなわち、後領域Ｄｒへの接触が検出されている場合、絞りの情報ｉ１の表示位置に設定変更有効マークｍ２が表示される。
【０３３４】
一方、設定変更が無効な場合、すなわち、操作ダイヤル１１０の天面への接触が検出されていない場合、サブディスプレー１６には、所定位置にロックマークｍ１が表示される（図３６参照）。
【０３３５】
図３６は、オートモードに設定された場合のサブディスプレーの表示の一例を示す図である。
【０３３６】
同図に示すように、撮影モードがオートモードに設定されると、サブディスプレー１６には、撮影モードがオートモードに設定されたことを示すアイコンが、撮影モードの情報ｉ５として表示される。このアイコンは、黒い四角内にＡＵＴＯの文字が表示された図形により構成される。
【０３３７】
また、撮影モードがオートモードに設定されると、サブディスプレー１６には、所定位置にロックマークｍ１が表示される。
【０３３８】
［変形例］
《設定する撮影モード》
上記第３の実施の形態と同様に、設定するモードについては、カメラが有する撮影モードに応じて適宜設定できる。また、設定したモードに応じて操作ダイヤルに割り当てる機能についても適宜設定できる。
【０３３９】
《操作ダイヤルの天面に設定する接触検出部のレイアウト》
上記実施の形態では、操作ダイヤル１１０の天面を２つの領域に分割しているが、分割の態様、すなわち、操作ダイヤル１１０の天面に設定する接触検出部のレイアウトは、カメラが有する撮影モード等に応じて、適宜設定できる。
【０３４０】
図３７は、操作ダイヤル１１０の天面に４つの接触検出部を設定した場合の一例を示す平面図である。
【０３４１】
同図に示す例では、操作ダイヤル１１０の天面を周方向に４等分割し、各領域の接触を個別に検出する構成としている。
【０３４２】
また、同図では、天面の左前領域Ｄｌｆに触れると、撮影モードがシャッタースピード優先モードに設定され、右前領域Ｄｒｆに触れると、撮影モードが絞り優先モードに設定され、左前領域Ｄｌｆ及び右前領域Ｄｒｆの両方に触れると、撮影モードがプログラムモードに設定され、右後領域Ｄｒｒに触れると、オートモードに設定される場合の例を示している。
【０３４３】
また、同図では、左後領域Ｄｌｒに触れながら操作ダイヤル１１０を回転操作すると、各モード共通でＩＳＯ感度が設定変更される場合の例を示している。このように、必ずしもすべての領域に撮影モードの設定機能を割り当てる必要はない。
【０３４４】
〔第５の実施の形態〕
本実施の形態のデジタルカメラ１では、操作ダイヤル１１０を操作した場合に設定変更される項目が、撮影モードに応じて自動的に切り替わる。
【０３４５】
［構成］
《外観構成》
図３８は、第５の実施の形態のデジタルカメラの正面図である。また、図３９は、その平面図である。
【０３４６】
同図に示すように、本実施の形態のデジタルカメラ１には、カメラボディ１０の天面にモードダイヤル４２が備えられる。
【０３４７】
モードダイヤル４２は、撮影モードを設定するための回転式のダイヤルである。モードダイヤル４２の天面には、「ＡＵＴＯ」、「Ｐ」、「Ｓ」、「Ａ」、「Ｍ」の各記号が同一円周上に一定の間隔で表示される。記号「ＡＵＴＯ」はオートモード、記号「Ｐ」はプログラムモード、記号「Ｓ」はシャッタースピード優先モード、記号「Ａ」は絞り優先モード、記号「Ｍ」はマニュアルモードを表わす。モードダイヤル４２は、指標４２ａに対し、各記号の位置でクリックストップ可能に構成される。記号「ＡＵＴＯ」を指標４２ａに合わせると、撮影モードがオートモードに設定される。記号「Ｐ」を指標４２ａに合わせると、撮影モードがプログラムモードに設定される。記号「Ｓ」を指標４２ａに合わせると、撮影モードがシャッタースピード優先モードに設定される。記号「Ａ」を指標４２ａに合わせると、撮影モードが絞り優先モードに設定される。記号「Ｍ」を指標４２ａに合わせると、撮影モードがマニュアルモードに設定される。
【０３４８】
なお、図３９は、シャッタースピード優先モードを選択した場合を示している。この場合、指標４２ａに記号「Ｓ」が合わせられる。
【０３４９】
図３９に示すように、本実施の形態のデジタルカメラ１の操作ダイヤル１１０は、操作ダイヤル１１０の天面が、前後方向（ｚ方向）に２分割される。この場合、各モードにおいて、２つの項目の設定変更が可能になる。すなわち、天面の前領域Ｄｆに触れながら回転操作した場合と、天面の後領域Ｄｒに触れながら回転操作した場合とで、異なる項目を設定変更できる。
【０３５０】
《操作ダイヤルで設定変更する項目の割り当て》
図４０は、撮影モードと操作ダイヤル１１０によって設定変更する項目との関係を表わす表である。
【０３５１】
（１）オートモード
撮影モードが、オートモードに設定された場合、前領域Ｄｆ及び後領域Ｄｒのいずれの領域にも設定変更する項目は割り当てられない。すなわち、オートモードの場合、操作ダイヤル１１０は無効とされる。
【０３５２】
（２）プログラムモード
撮影モードが、プログラムモードに設定された場合、前領域Ｄｆ及び後領域Ｄｒのいずれの領域にもプログラムシフトが割り当てられる。したがって、プログラムモードの場合は、前領域Ｄｆと後領域Ｄｒのいずれの領域に触れながら操作ダイヤル１１０を操作しても、プログラムシフトが行われる。
【０３５３】
（３）シャッタースピード優先モード
撮影モードが、シャッタースピード優先モードに設定された場合、前領域Ｄｆにシャッタースピードの設定変更が割り当てられ、後領域Ｄｒに露出補正値の設定変更が割り当てられる。したがって、シャッタースピード優先モードの場合、前領域Ｄｆに触れながら操作ダイヤル１１０を回転操作すると、その操作に応じてシャッタースピードが変更される。また、後領域Ｄｒに触れながら操作ダイヤル１１０を回転操作すると、その操作に応じて露出補正値が変更される。
【０３５４】
（４）絞り優先モード
撮影モードが、絞り優先モードに設定された場合、前領域Ｄｆに絞り値の設定変更が割り当てられ、後領域Ｄｒに露出補正値の設定変更が割り当てられる。したがって、絞り優先モードの場合、前領域Ｄｆに触れながら操作ダイヤル１１０を回転操作すると、その操作に応じて絞り値が変更される。また、後領域Ｄｒに触れながら操作ダイヤル１１０を回転操作すると、その操作に応じて露出補正値が変更される。
【０３５５】
（５）マニュアルモード
撮影モードが、マニュアルモードに設定された場合、前領域Ｄｆにシャッタースピードの設定変更が割り当てられ、後領域Ｄｒに絞り値の設定変更が割り当てられる。したがって、マニュアルモードの場合、前領域Ｄｆに触れながら操作ダイヤル１１０を回転操作すると、その操作に応じてシャッタースピードが変更される。また、後領域Ｄｒに触れながら操作ダイヤル１１０を回転操作すると、その操作に応じて絞り値が変更される。
【０３５６】
《設定システムの構成》
図４１は、本実施の形態のデジタルカメラに備えられる設定システムの概略構成を示すブロック図である。
【０３５７】
同図に示すように、本実施の形態の設定システム１５０には、上述した第１の実施の形態のデジタルカメラの設定システム１５０に対して、更に、撮影モード切替部１５６と、項目設定部１５８と、が備えられる。
【０３５８】
撮影モード切替部１５６は、モードダイヤル４２の操作に応じて、撮影モードを設定する。
【０３５９】
項目設定部１５８は、設定された撮影モードに応じて、操作ダイヤルで設定する項目を設定する。上記のように、この設定は、領域（接触検出部）ごとに行われる。
【０３６０】
撮影モード切替部１５６及び項目設定部１５８の機能は、システムコントローラー８０の一機能として提供される。すなわち、システムコントローラー８０を構成するマイクロコンピューターが、所定の制御プログラムを実行することにより、撮影モード切替部１５６及び項目設定部１５８の機能がシステムコントローラー８０によって提供される。
【０３６１】
［作用］
上記のように、操作ダイヤル１１０を操作した場合に設定変更される項目が、撮影モードに応じて自動的に切り替わる。以下、設定された撮影モードごとの動作について説明する。
【０３６２】
（１）オートモード
オートモードの場合、操作ダイヤル１１０は、無効とされる。すなわち、オートモードの場合、天面に触れながら操作ダイヤル１１０を操作しても、設定は何も変更されない。
【０３６３】
（２）プログラムモード
撮影モードが、プログラムモードに設定された場合、前領域Ｄｆ及び後領域Ｄｒのいずれの領域にもプログラムシフトが割り当てられる。
【０３６４】
したがって、プログラムモードの場合、前領域Ｄｆ又は後領域Ｄｒへの接触が検出されると、接触が検出されている間、プログラムモードが有効にされる。
【０３６５】
設定変更が有効な状態、すなわち、前領域Ｄｆ及び後領域Ｄｒの少なくとも一方への接触が検出された状態で操作ダイヤル１１０が回転操作されると、その操作に応じてプログラムシフトが行われる。すなわち、シャッタースピード及び絞り値の組み合わせが、操作に応じて変えられる。
【０３６６】
（３）シャッタースピード優先モード
シャッタースピード優先モードの場合、前領域Ｄｆにシャッタースピードの設定変更が割り当てられ、後領域Ｄｒに露出補正値の設定変更が割り当てられる。
【０３６７】
したがって、シャッタースピード優先モードの場合、前領域Ｄｆへの接触が検出されると、接触が検出されている間、シャッタースピードの設定変更が有効とされる。シャッタースピードの設定変更が有効な状態、すなわち、前領域Ｄｆへの接触が検出された状態で操作ダイヤル１１０が回転操作されると、その操作に応じてシャッタースピードが変更される。また、後領域Ｄｒへの接触が検出されると、接触が検出されている間、露出補正値の設定変更が有効とされる。露出補正値の設定変更が有効な状態、すなわち、後領域Ｄｒへの接触が検出された状態で操作ダイヤル１１０が回転操作されると、その操作に応じて露出補正値が変更される。
【０３６８】
（４）絞り優先モード
絞り優先モードの場合、前領域Ｄｆに絞り値の設定変更が割り当てられ、後領域Ｄｒに露出補正値の設定変更が割り当てられる。
【０３６９】
したがって、絞り優先モードの場合、前領域Ｄｆへの接触が検出されると、接触が検出されている間、絞り値の設定変更が有効とされる。絞り値の設定変更が有効な状態、すなわち、前領域Ｄｆへの接触が検出された状態で操作ダイヤル１１０が回転操作されると、その操作に応じて絞り値が変更される。また、後領域Ｄｒへの接触が検出されると、接触が検出されている間、露出補正値の設定変更が有効とされる。露出補正値の設定変更が有効な状態、すなわち、後領域Ｄｒへの接触が検出された状態で操作ダイヤル１１０が回転操作されると、その操作に応じて露出補正値が変更される。
【０３７０】
（５）マニュアルモード
マニュアルモードの場合、前領域Ｄｆにシャッタースピードの設定変更が割り当てられ、後領域Ｄｒに絞り値の設定変更が割り当てられる。
【０３７１】
したがって、マニュアルモードの場合、前領域Ｄｆへの接触が検出されると、接触が検出されている間、シャッタースピードの設定変更が有効とされる。シャッタースピードの設定変更が有効な状態、すなわち、前領域Ｄｆへの接触が検出された状態で操作ダイヤル１１０が回転操作されると、その操作に応じてシャッタースピードが変更される。また、後領域Ｄｒへの接触が検出されると、接触が検出されている間、絞り値の設定変更が有効とされる。絞り値の設定変更が有効な状態、すなわち、後領域Ｄｒへの接触が検出された状態で操作ダイヤル１１０が回転操作されると、その操作に応じて絞り値が変更される。
【０３７２】
いずれのモードの場合も、天面に触れずに操作ダイヤル１１０を回転操作した場合は、操作が無効とされる。すなわち、設定は何も変更されない。この場合、操作ダイヤル１１０は電子的にロックされる。これにより、不用意に設定が変更されるのを防止できる。
【０３７３】
このように、本実施の形態のデジタルカメラ１によれば、撮影モードに応じて、操作ダイヤル１１０で設定変更する項目が自動的に切り替わる。これにより、撮影状況に応じた機能を操作ダイヤル１１０に割り当てることができる。
【０３７４】
［変形例］
《撮影モードの切り替え》
上記実施の形態では、モードダイヤルによって撮影モードを切り替える構成としているが、撮影モードを切り替える手段は、これに限定されるものではない。この他、たとえば、メニュー画面を利用して、撮影モードを切り替える構成にすることもできる。あるいは、操作ダイヤル１１０の天面をスワイプ又はフリックする操作を検出し、その操作に応じて、撮影モードを順番に切り替える構成にすることもできる。ここで、天面をスワイプする操作とは、天面に指を触れたまま特定の方向に撫でるように動かす操作のことをいう。また、天面をフリックする操作とは、天面に指を触れた後、弾くように動かす操作のことをいう。この場合、操作ダイヤル１１０の天面に備えられたタッチセンサー１３０によって、操作ダイヤル１１０の天面をスワイプ又はフリックする操作を検出する。
【０３７５】
《操作ダイヤルの天面に設定する接触検出部のレイアウト》
上記実施の形態では、操作ダイヤル１１０の天面を２つの領域に分割しているが、分割の態様、すなわち、操作ダイヤル１１０の天面に設定する接触検出部のレイアウトは、これに限定されるものではない。たとえば、３分割あるいは４分割する構成にすることもできる。
【０３７６】
《設定変更する項目》
各モードに設定された場合に、操作ダイヤル１１０で設定変更する項目は、カメラが有する機能等に応じて適宜できる。
【０３７７】
《接触の組み合わせ》
上記第２の実施の形態のように、複数の領域を同時に接触した場合に、特定の項目の設定変更ができるように構成してもよい。たとえば、撮影モードがシャッタースピード優先モードに設定された場合において、前領域Ｄｆ及び後領域Ｄｒの双方の領域で接触が検出されると、ＩＳＯ感度の設定変更が可能になるように構成する。同様に、撮影モードが絞り優先モードに設定された場合において、前領域Ｄｆ及び後領域Ｄｒの双方の領域で接触が検出されると、ＩＳＯ感度の設定変更が可能になるように構成する。また、撮影モードがマニュアルモードに設定された場合において、前領域Ｄｆ及び後領域Ｄｒの双方の領域で接触が検出されると、露出補正値の設定変更が可能になるように構成する。
【０３７８】
〔第６の実施の形態〕
本実施の形態のデジタルカメラ１では、操作ダイヤル１１０の天面にディスプレーが備えられる。以下、この操作ダイヤル１１０の天面に備えられるディスプレーをダイヤルディスプレーと称する。ダイヤルディスプレーは、ダイヤル表示部の一例である。
【０３７９】
操作ダイヤルにダイヤルディスプレーが備えられる点以外は、上記第１の実施の形態のデジタルカメラ１と同じである。したがって、以下においては、ダイヤルディスプレーを備えた操作ダイヤル１１０の構成、及び、その作用についてのみ説明する。
【０３８０】
［操作ダイヤルの構成］
図４２は、操作ダイヤル１１０の概略構成を示す縦断面図である。図４３は、操作ダイヤル１１０の概略構成を示す平面図である。
【０３８１】
同図に示すように、ダイヤルディスプレー１３２は、操作ダイヤル１１０の内周部１１２の上端に備えられる。操作ダイヤル１１０は、その内周部１１２のほぼ全域が、ダイヤルディスプレー１３２の表示面とされる。
【０３８２】
タッチセンサー１３０は、ダイヤルディスプレー１３２の上に重ねて配置される。タッチセンサー１３０は、ダイヤルディスプレー１３２の表示面への指の接触を検出する。タッチセンサー１３０は、ダイヤルディスプレー１３２と組み合わされて、タッチパネルを構成する。
【０３８３】
図４４は、操作ダイヤル１１０を使用した設定システムの概略構成を示すブロック図である。
【０３８４】
本実施の形態のデジタルカメラの設定システム１５０には、ダイヤルディスプレー１３２の表示を制御するダイヤルディスプレー表示制御部１３４と、そのダイヤルディスプレー表示制御部１３４からの指令に応じて、ダイヤルディスプレー１３２を駆動するダイヤルディスプレー駆動部１３６と、が備えられる。
【０３８５】
ダイヤルディスプレー表示制御部１３４は、ダイヤル表示制御部の一例である。ダイヤルディスプレー表示制御部１３４は、操作ダイヤル１１０で設定される項目の情報をダイヤルディスプレー１３２に表示する。ダイヤルディスプレー表示制御部１３４は、ダイヤルディスプレー１３２への表示に必要な情報を取得し、ダイヤルディスプレー駆動部１３６の駆動を制御して、ダイヤルディスプレー１３２の表示を制御する。
【０３８６】
ダイヤルディスプレー表示制御部１３４の機能は、システムコントローラー８０の一機能として提供される。すなわち、システムコントローラー８０を構成するマイクロコンピューターが、所定の制御プログラムを実行することにより、ダイヤルディスプレー表示制御部１３４の機能がシステムコントローラー８０によって提供される。
【０３８７】
［作用］
図４５は、ダイヤルディスプレーの表示の一例を示す平面図である。
【０３８８】
同図に示すように、ダイヤルディスプレー１３２には、接触を検出する領域が区分けして表示される。同図は、操作ダイヤル１１０の天面を３分割した場合の例が示されており、前領域Ｄｆ、中央領域Ｄｃ、及び、後領域Ｄｒに分割した場合の例が示されている。なお、各領域において、実際に接触を検出する領域（接触検出部）は、接触検出領域として各領域内に設定される領域である（図６参照）。
【０３８９】
前領域Ｄｆ、中央領域Ｄｃ、及び、後領域Ｄｒの各領域には、それぞれの領域に触れた場合に設定変更が有効とされる項目の情報が表示される。すなわち、接触を検出する領域に対応して、各領域に設定された項目の情報が表示される。図４５には、前領域Ｄｆに触れると、シャッタースピードの設定変更が有効になり、中央領域Ｄｃに触れると、露出補正値の設定変更が有効になり、後領域Ｄｒに触れると、ＩＳＯ感度の設定変更が有効になる場合の例が示されている。この場合、同図に示すように、前領域Ｄｆには、触れた場合にシャッタースピードの設定変更が有効になることを示す情報として、「ＳＨＵＴＴＥＲ」の文字が表示される。また、中央領域Ｄｃには、触れた場合に露出補正値の設定変更が有効になることを示す情報として、「ＥＸＰＯＳＵＲＥ  ＣＯＭＰＥＮＳＡＴＩＯＮ」の文字が表示される。また、後領域Ｄｒには、触れた場合にＩＳＯ感度の設定変更が有効になることを示す情報として、「ＩＳＯ」の文字が表示される。
【０３９０】
図４６は、操作ダイヤル１１０の天面に触れた場合のダイヤルディスプレーの表示の一例を示す平面図である。特に、同図は、中央領域Ｄｃに触れた場合の表示の例を示している。
【０３９１】
操作ダイヤル１１０の天面に触れると、触れた領域の表示が反転表示される。すなわち、背景と文字の色とが反転されて表示される。これにより、触れた領域を明確にできる。
【０３９２】
このように、本実施の形態のデジタルカメラ１によれば、操作ダイヤル１１０の天面に備えられたダイヤルディスプレー１３２に操作ダイヤル１１０で設定変更可能な情報が表示される。これにより、良好な操作性を提供できる。また、各領域は、触れると、反転表示される。すなわち、設定変更が有効な項目と設定変更が無効な項目とを異なる態様で表示される。これにより、設定変更が有効な項目を容易に把握でき、より良好な操作性を提供できる。
【０３９３】
［変形例］
《設定変更を有効にする項目の切り替わりに連動した表示切替》
設定変更を有効にする項目を切り替えられる場合は、その切り替わりに連動して、ダイヤルディスプレー１３２の表示を切り替える。
【０３９４】
たとえば、上記第５の実施の形態では、撮影モードに応じて、操作ダイヤル１１０で設定変更可能な項目が切り替わる。この場合、撮影モードの切り替わりに連動して、ダイヤルディスプレー１３２の表示を切り替える。
【０３９５】
図４７は、撮影モードの切り替わりに応じたダイヤルディスプレーの表示の切り替わりの一例を示す図である。特に、同図は、撮影モードが、オートモード、プログラムモード、シャッタースピード優先モード、絞り優先モード、及びマニュアルモードに切り替わる場合の例が示されている。同図（Ａ）が、オートモードの場合のダイヤルディスプレー１３２の表示を示しており、同図（Ｂ）が、プログラムモードの場合のダイヤルディスプレー１３２の表示を示しており、同図（Ｃ）が、シャッタースピード優先モードの場合のダイヤルディスプレー１３２の表示を示しており、同図（Ｄ）が、絞り優先モードの場合のダイヤルディスプレー１３２の表示を示しており、同図（Ｆ）が、マニュアルモードの場合のダイヤルディスプレー１３２の表示を示している。
【０３９６】
なお、各モードに設定した場合に設定変更が有効になる項目は、上記第５の実施の形態で説明した通りである。
【０３９７】
（１）オートモード
撮影モードが、オートモードに設定された場合、前領域Ｄｆ及び後領域Ｄｒのいずれの領域にも設定変更する項目は割り当てられない。この場合、図４７（Ａ）に示すように、ダイヤルディスプレー１３２には、何も表示されない。
【０３９８】
（２）プログラムモード
撮影モードが、プログラムモードに設定された場合、前領域Ｄｆ及び後領域Ｄｒのいずれの領域にもプログラムシフトが割り当てられる。この場合、図４７（Ｂ）に示すように、ダイヤルディスプレー１３２には、「ＰＲＯＧＲＡＭ  ＳＨＩＦＴ」の文字が中央に表示される。
【０３９９】
（３）シャッタースピード優先モード
撮影モードが、シャッタースピード優先モードに設定された場合、前領域Ｄｆにシャッタースピードの設定変更が割り当てられ、後領域Ｄｒに露出補正値の設定変更が割り当てられる。この場合、図４７（Ｃ）に示すように、前領域Ｄｆには「ＳＨＵＴＴＥＲ」の文字が表示され、後領域Ｄｒには、「ＥＸＰＯＳＵＲＥ  ＣＯＭＰＥＮＳＡＴＩＯＮ」の文字が表示される。
【０４００】
（４）絞り優先モード
撮影モードが、絞り優先モードに設定された場合、前領域Ｄｆに絞り値の設定変更が割り当てられ、後領域Ｄｒに露出補正値の設定変更が割り当てられる。この場合、図４７（Ｄ）に示すように、前領域Ｄｆには、「ＩＲＩＳ」の文字が表示され、後領域Ｄｒには、「ＥＸＰＯＳＵＲＥ  ＣＯＭＰＥＮＳＡＴＩＯＮ」の文字が表示される。
【０４０１】
（５）マニュアルモード
撮影モードが、マニュアルモードに設定された場合、前領域Ｄｆにシャッタースピードの設定変更が割り当てられ、後領域Ｄｒに絞り値の設定変更が割り当てられる。この場合、図４７（Ｅ）に示すように、前領域Ｄｆには、「ＳＨＵＴＴＥＲ」の文字が表示され、後領域Ｄｒには、「ＩＲＩＳ」の文字が表示される。
【０４０２】
設定変更を可能な項目の切り替わりに連動して、ダイヤルディスプレー１３２の表示を切り替えることにより、設定可能な項目を一目で把握できるようになり、より操作性を向上できる。
【０４０３】
〔第７の実施の形態〕
上記第１から第６の実施の形態のデジタルカメラ１では、操作ダイヤル１１０の天面に触れている間、操作ダイヤルによる設定変更が有効になる構成とされている。すなわち、操作ダイヤル１１０の天面に触れている間だけ操作ダイヤル１１０のロックが電子的に解除される構成とされている。
【０４０４】
本実施の形態のデジタルカメラ１では、操作ダイヤル１１０の天面に触れると、触れた領域に設定された項目の設定変更が有効にされる。一度設定変更が有効にされた項目は、指を離しても有効な状態が維持される。その一方で指を離した後、再び同じ領域に触れると、有効な状態から無効な状態に切り替えられる。すなわち、接触するたびに有効と無効とが交互に切り替えられる。また、異なる領域に触れた場合は、新たに触れられた領域に設定された項目が有効にされる。
【０４０５】
なお、接触検出後の動作が異なるだけで、カメラの構成は、上記第１の実施の形態のデジタルカメラ１と同じなので、ここでは、デジタルカメラ１の動作についてのみ説明する。なお、設定変更の有効と無効との切り替えは、切替部１５２が行う。
【０４０６】
図４８は、各領域に設定された項目に対する設定変更の有効と無効とを切り替える処理の手順を示すフローチャートである。
【０４０７】
なお、ここでは、操作ダイヤル１１０の天面が前領域Ｄｆ、中央領域Ｄｃ、及び、後領域Ｄｒに３分割され、前領域Ｄｆにシャッタースピード、中央領域Ｄｃに露出補正値、後領域ＤｒにＩＳＯ感度の設定変更が割り当てられているものとする（上記第１の実施の形態のデジタルカメラの設定と同じ）。この場合、前領域Ｄｆに触れると、シャッタースピードの設定変更が有効になり、中央領域Ｄｃに触れると、露出補正値の設定変更が有効になり、後領域Ｄｒに触れると、ＩＳＯ感度の設定変更が有効になる。そして、設定変更を有効にした領域に再び触れると、設定変更が無効になり、新たな領域に触れると、新たな領域に設定された項目の設定変更が有効にされる。なお、新たに触れられた領域に設定された項目の設定変更を有効にする場合は、それまで有効にされていた項目の設定変更を無効にする。たとえば、シャッタースピードの設定変更が有効にされている状態で中央領域Ｄｃにふれると、シャッタースピードの設定変更が無効にされ、新たに露出補正値の設定変更が有効にされる。
【０４０８】
デジタルカメラの電源が投入されると、まず、切替部１５２は、すべての項目の設定変更を無効にする（ステップＳ１１０）。すべての項目の設定変更が無効な状態とは、操作ダイヤル１１０が電子的にロックされた状態である。
【０４０９】
この後、切替部１５２は、操作ダイヤル１１０の天面への接触の有無を判定する（ステップＳ１１１）。天面への接触あり、と判定すると、切替部１５２は、接触が検出された領域に設定された項目の設定変更を有効にする（ステップＳ１１２）。たとえば、中央領域Ｄｃに対する接触の場合、露出補正値の設定変更を有効にする。
【０４１０】
この後、切替部１５２は、再び操作ダイヤル１１０の天面への接触の有無を判定する（ステップＳ１１３）。
【０４１１】
ここで、天面への接触あり、と判定すると、切替部１５２は、設定変更が有効にされている領域への接触か否かを判定する（ステップＳ１１４）。設定変更が有効されている領域とは、現時点で設定変更が有効にされている項目が設定された領域のことである。たとえば、現時点で露出補正値の設定変更が有効にされている場合、設定変更が有効にされている領域は、中央領域Ｄｃということになる。したがって、この場合、中央領域Ｄｃへの接触か否かを判定する。
【０４１２】
設定変更が有効にされている領域への接触である、と判定すると、切替部１５２は、現時点で有効にされている設定変更を無効にする（ステップＳ１１５）。これにより、操作ダイヤル１１０の操作が無効とされる。すなわち、操作ダイヤル１１０が電子的にロックされる。
【０４１３】
設定変更が有効にされている領域への接触ではない、と判定すると、切替部１５２は、現時点で有効にされている設定変更を無効にした上で、新たに接触された領域に設定された項目の設定変更を有効にする（ステップＳ１１６）。これにより、操作ダイヤル１１０の操作によって設定変更できる項目が切り替わる。たとえば、露出補正値の設定変更が有効にされている場合において、新たに後領域Ｄｒが触れられた場合、露出補正値の設定変更が無効とされ、新たにＩＳＯ感度の設定変更が有効とされる。
【０４１４】
この後、切替部１５２は、電源がオフされたか否かを判定する（ステップＳ１１７）。電源がオフされた場合は、処理を終了する。一方、電源がオフされていない場合は、ステップＳ１１３に戻り、上記処理を再び実行する。
【０４１５】
このように、本実施の形態のデジタルカメラ１では、操作ダイヤル１１０の天面に触れると、触れた領域に設定された項目の設定変更が有効になる。そして、同じ領域を再びふれると、設定変更が無効になる。すなわち、トグル式に設定変更の有効と無効とを切り替えることができる。
【０４１６】
なお、サブディスプレー１６の表示は、第１の実施の形態のデジタルカメラ１と同じである。操作ダイヤル１１０が電子的にロックされると、サブディスプレー１６にロックマークｍ１が表示される。これにより、操作ダイヤル１１０が電子的にロックされているか否かをサブディスプレー１６の表示で確認できる。また、設定変更が有効にされている項目は、その設定値が大きく表示され、かつ、設定変更有効マークｍ２が表示される。これにより、操作ダイヤル１１０で設定変更できる項目をサブディスプレー１６の表示から確認できる。
【０４１７】
［変形例］
複数の領域を同時に触れた場合に特定の項目の設定変更を有効にしてもよい点は、上記第２の実施の形態のデジタルカメラ１と同じである。また、その変形例を適用できる点も同じである。
【０４１８】
また、操作ダイヤル１１０の天面の特定の位置に触れることで、撮影モードを切り替えてもよい点、及び、その切り替わりに連動して、操作ダイヤル１１０で設定可能な項目を切り替えてもよい点は、上記第３の実施の形態のデジタルカメラ１と同じである。その際、複数の領域を同時に触れると、その触れた領域の組み合わせによって、特定の撮影モードに切り替わるようにしてもよい点は上記第４の実施の形態のデジタルカメラ１と同じである。また、その変形例を適用できる点も同じである。
【０４１９】
更に、操作ダイヤル１１０を操作した場合に設定変更される項目が撮影モードに応じて自動的に切り替わるようにしてもよい点は、上記第５の実施の形態のデジタルカメラ１と同じである。また、その変形例を適用できる点も同じである。
【０４２０】
また、操作ダイヤル１１０の天面にダイヤルディスプレー１３２を備えてもよい点は、上記第６の実施の形態のデジタルカメラ１と同じである。また、その変形例を適用できる点も同じである。
【０４２１】
なお、操作ダイヤル１１０の天面にダイヤルディスプレー１３２を備えることにより、設定変更が有効であるか否かをダイヤルディスプレー１３２の表示で表わすことができる。以下、この具体例について説明する。
【０４２２】
《ダイヤルディスプレーの表示》
図４９は、操作ダイヤルによる設定変更の有効と無効との切り替わりに応じたダイヤルディスプレー１３２の表示の切り替わりの遷移を示す図である。
【０４２３】
同図は、操作ダイヤル１１０の天面を前後方向に２分割し、前領域Ｄｆにシャッタースピードの設定変更、後領域Ｄｒに絞り値の設定変更を割り当てた場合の例を示している。この設定は、上記第５又は第６の実施の形態のデジタルカメラにおいて、撮影モードをマニュアルモードに設定した場合の設定と同じである。
【０４２４】
この場合、前領域Ｄｆに触れると、シャッタースピードの設定変更が有効になり、後領域Ｄｒに触れると、絞り値の設定変更が有効になる。また、一度シャッタースピードの設定を有効にした後、再び前領域Ｄｆに触れると、シャッタースピードの設定が無効になる。同様に、一度絞り値の設定変更を有効にした後、再び後領域Ｄｒに触れると、絞り値の設定変更が無効になる。また、一度シャッタースピードの設定を有効にした後、後領域Ｄｒに触れると、新たに絞り値の設定変更が有効になる。また、一度絞り値の設定変更を有効にした後、前領域Ｄｆに触れると、新たにシャッタースピードの設定変更が有効になる。
【０４２５】
また、ダイヤルディスプレー１３２には、前領域Ｄｆ及び後領域Ｄｒが区分けして表示され、かつ、各領域に設定された項目の情報が、各領域を区分けする枠線内に表示される。上記のように、前領域Ｄｆには、シャッタースピードが設定されているので、前領域Ｄｆには、設定変更される項目がシャッタースピードであることを示す情報として「ＳＨＵＴＴＥＲ」の文字が表示される。また、後領域Ｄｒには、絞り値が設定されているので、後領域Ｄｒには、設定変更される項目が絞り値であることを示す情報として「ＩＲＩＳ」の文字が表示される。
【０４２６】
〈各状態での表示〉
図４９（Ａ）は、シャッタースピード及び絞り値の双方の設定変更が無効な場合の表示例を示している。
【０４２７】
シャッタースピード及び絞り値の双方の設定変更が無効な場合とは、操作ダイヤル１１０が電子的にロックされている場合である。この場合、ダイヤルディスプレー１３２の前領域Ｄｆには、白い背景に黒字で「ＳＨＵＴＴＥＲ」の文字が表示される（いわゆる黒抜き表示）。また、後領域Ｄｒには、白い背景に黒字で「ＩＲＩＳ」の文字が表示される。ユーザーは、この表示を確認することにより、シャッタースピード及び絞り値の双方の設定変更が無効であること、すなわち、操作ダイヤル１１０が電子的にロックされていることを認識できる。
【０４２８】
なお、シャッタースピード及び絞り値の双方の設定変更が無効な場合、サブディスプレー１６には、ロックマークｍ１が表示される。したがって、サブディスプレー１６の表示からも操作ダイヤル１１０がロックされていることを認識できる。
【０４２９】
図４９（Ｂ）は、シャッタースピードの設定変更が有効な場合の表示例を示している。
【０４３０】
この場合、ダイヤルディスプレー１３２の前領域Ｄｆの表示が反転する。すなわち、黒い背景に白字で「ＳＨＵＴＴＥＲ」の文字が表示される（いわゆる白抜き表示）。ユーザーは、ダイヤルディスプレー１３２の前領域Ｄｆの表示が反転されていることを確認することにより、シャッタースピードの設定変更が有効であることを認識できる。
【０４３１】
なお、シャッタースピードの設定変更が有効な場合、サブディスプレー１６において、シャッタースピードの情報ｉ１が他の情報よりも相対的に大きく表示され、かつ、シャッタースピードの情報ｉ１の表示位置に設定変更有効マークｍ２が表示される。したがって、サブディスプレー１６の表示からもシャッタースピードの設定変更が有効であることを認識できる。
【０４３２】
図４９（Ｃ）は、絞り値の設定変更が有効な場合の表示例を示している。
【０４３３】
この場合、ダイヤルディスプレー１３２の後領域Ｄｒの表示が反転する。すなわち、黒い背景に白字で「ＩＲＩＳ」の文字が表示される（いわゆる白抜き表示）。ユーザーは、ダイヤルディスプレー１３２の後領域Ｄｒの表示が反転されていることを確認することにより、絞り値の設定変更が有効であることを認識できる。
【０４３４】
なお、絞り値の設定変更が有効な場合、サブディスプレー１６において、絞り値の情報ｉ５が他の情報よりも相対的に大きく表示され、かつ、絞り値の情報ｉ２の表示位置に設定変更有効マークｍ２が表示される。したがって、サブディスプレー１６の表示からも絞り値の設定変更が可能であることを認識できる。
【０４３５】
〈各状態への遷移〉
シャッタースピード及び絞り値の双方の設定変更が無効な状態をロック状態とする。ロック状態において、ダイヤルディスプレー１３２の表示は、図４９（Ａ）の表示となる。
【０４３６】
ロック状態の操作ダイヤル１１０に対して、天面の前領域Ｄｆに指を触れると、シャッタースピードの設定変更が有効になる。シャッタースピードの設定変更が有効になると、ダイヤルディスプレー１３２の表示は、図４９において矢印ＡＢにより示すように、図４９（Ｂ）に示す表示に遷移する。
【０４３７】
シャッタースピードの設定変更が有効な状態で天面の前領域Ｄｆに指を触れると、シャッタースピードの設定変更が無効になる。シャッタースピードの設定変更が無効になると、ダイヤルディスプレー１３２の表示は、図４９において矢印ＢＡにより示すように、図４９（Ａ）に示す表示に遷移する。
【０４３８】
シャッタースピードの設定変更が有効な状態で天面の後領域Ｄｒに指を触れると、シャッタースピードに代えて絞り値の設定変更が有効になる。シャッタースピードに代えて絞り値の設定変更が有効になると、ダイヤルディスプレー１３２の表示は、図４９において矢印ＢＣにより示すように、図４９（Ｃ）に示す表示に遷移する。
【０４３９】
ロック状態の操作ダイヤル１１０に対して、天面の後領域Ｄｒに指を触れると、絞り値の設定変更が有効になる。絞り値の設定変更が有効になると、ダイヤルディスプレー１３２の表示は、図４９において矢印ＡＣにより示すように、図４９（Ｃ）に示す表示に遷移する。
【０４４０】
絞り値の設定変更が有効な状態で天面の後領域Ｄｒに指を触れると、絞り値の設定変更が無効になる。絞り値の設定変更が無効になると、ダイヤルディスプレー１３２の表示は、図４９において矢印ＣＡにより示すように、図４９（Ａ）に示す表示に遷移する。
【０４４１】
絞り値の設定変更が有効な状態で天面の前領域Ｄｆに指を触れると、絞り値に代えてシャッタースピードの設定変更が有効になる。絞り値に代えてシャッタースピードの設定変更が有効になると、ダイヤルディスプレー１３２の表示は、図４９において矢印ＣＢにより示すように、図４９（Ｂ）に示す表示に遷移する。
【０４４２】
このように、ダイヤルディスプレー１３２の表示は、操作ダイヤル１１０の状態に連動して変化する。
【０４４３】
《ダイヤルディスプレーの表示の変形例》
操作ダイヤル１１０の天面に触れて、特定の項目の設定変更を有効にした場合、ダイヤルディスプレー１３２の表示を、その項目の設定値の情報に切り替えてもよい。
【０４４４】
たとえば、上記の例において、シャッタースピードの設定変更を有効にした場合、ダイヤルディスプレー１３２の表示を現在設定されているシャッタースピードの表示に切り替える。この場合、他の項目への切り替えは不能とし、無効な状態に戻すことのみを許容する。
【０４４５】
図５０は、設定変更が有効にされた項目の設定値をダイヤルディスプレー１３２に表示する場合の表示の遷移状態を示す図である。
【０４４６】
図５０（Ａ）は、シャッタースピード及び絞り値の双方の設定変更が無効な場合、すなわち、ロック状態の表示例を示している。
【０４４７】
この場合、図４９に示した例と同様に、ダイヤルディスプレー１３２の前領域Ｄｆには、白い背景に黒字で「ＳＨＵＴＴＥＲ」の文字が表示され、後領域Ｄｒには、白い背景に黒字で「ＩＲＩＳ」の文字が表示される。
【０４４８】
ロック状態の操作ダイヤル１１０に対して、天面の前領域Ｄｆに触れると、シャッタースピードの設定変更が有効になり、後領域Ｄｒに触れると、絞り値の設定変更が有効になる。
【０４４９】
図５０（Ｂ）は、シャッタースピードの設定変更が有効な場合の表示例を示している。
【０４５０】
この場合、ダイヤルディスプレー１３２には、現在のシャッタースピードの設定値が表示される。
【０４５１】
シャッタースピードの設定変更が可能な操作ダイヤル１１０に対して、天面の前領域Ｄｆ及び後領域Ｄｒの少なくとも一方に触れると、シャッタースピードの設定変更が無効になる。すなわち、操作ダイヤル１１０がロックされる。
【０４５２】
図５０（Ｃ）は、絞り値の設定変更が有効な場合の表示例を示している。
【０４５３】
この場合、ダイヤルディスプレー１３２には、現在の絞り値の設定値が表示される。
【０４５４】
絞り値の設定変更が可能な操作ダイヤル１１０に対して、天面の前領域Ｄｆ及び後領域Ｄｒの少なくとも一方に触れると、絞り値の設定変更が無効になる。すなわち、操作ダイヤル１１０がロックされる。
【０４５５】
このように、設定変更が有効にされた項目の設定値をダイヤルディスプレー１３２に表示することにより、操作ダイヤル１１０で設定変更可能な項目を容易に把握できる。
【０４５６】
図５１は、設定変更が有効にされた項目の設定値をダイヤルディスプレーに表示する場合の表示の変形例を示す図である。
【０４５７】
同図に示すように、設定変更が有効にされた項目の設定値をダイヤルディスプレー１３２に表示する場合、サブディスプレー１６の該当項目の表示を削除してもよい。
【０４５８】
たとえば、シャッタースピードの設定変更が有効な場合、同図（Ｂ）に示すように、サブディスプレー１６の表示からシャッタースピードの情報を消去する。
【０４５９】
また、たとえば、絞り値の設定変更が有効な場合、同図（Ｃ）に示すように、サブディスプレー１６の表示から絞り値の情報を消去する。
【０４６０】
〔その他の実施の形態〕
［接触検出部］
接触検出部において接触を検出する際、いわゆる不感帯を設けてもよい。すなわち、瞬間的な指の接触については、検出しない構成とする。同様に瞬間的に指が離された場合も検出しない構成とする。不感帯を設けるためには、たとえば、一定の時間間隔で接触を検出する構成にする。この場合、連続して接触が検出されたか否かを判定して、接触の有無を判定する。連続して接触が検出されている場合、接触していると判定する。瞬間的な接触の場合、連続して接触が検出されないので、検出を排除できる。また、瞬間的に指を離した場合も、次の検出までに指が触れていれば、接触が継続しているものと認定できる。このように、持続時間も判断してヒステリシスを持たせて応答させることにより、より安定した動作が可能になる。
【０４６１】
［操作ダイヤルによる設定変更が有効な場合と無効な場合の表示形態の他の例］
操作ダイヤルによる設定変更が無効である場合、サブディスプレーの背景色を変えて、その旨を告知してもよい。
【０４６２】
［操作ダイヤルによる設定変更が無効なことを告知する方法の他の例］
（１）音による告知
デジタルカメラ１にスピーカー等の音声出力部が備えられている場合は、その音声出力部を利用して、操作ダイヤルによる設定変更が無効であることをユーザーに告知できる。たとえば、操作ダイヤルによる設定変更が無効な場合に、操作ダイヤルが回転操作されると、音声出力部から告知音、警告音等の音声が出力される構成とする。この場合、デジタルカメラには音声出力制御部が備えられる。音声出力制御部は、操作ダイヤルによる設定変更が無効な状態で操作ダイヤルが回転操作されたことを検出すると、音声出力部から告知音、警告音等の音声を出力させる。
【０４６３】
また、デジタルカメラ１にスピーカー等の音声出力部が備えられている場合、操作ダイヤル１１０の回転操作に連動して、擬似的な回転操作音を出力させてもよい。この場合、操作ダイヤルによる設定変更が有効な場合と無効な場合とで回転操作音を切り替えてもよい。あるいは、操作ダイヤルによる設定変更が有効な場合だけ回転操作音を出力させてもよい。
【０４６４】
（２）メインディスプレーでの告知
上記実施の形態のデジタルカメラのように、カメラボディ１０にメインディスプレー１４が備えられている場合、メインディスプレーに操作ダイヤル１１０の状態を表示してもよい。すなわち、操作ダイヤル１１０による設定変更が有効か否かをメインディスプレー１４に表示してもよい。カメラボディ１０に電子ビューファインダー１８を備えている場合には、電子ビューファインダー１８にも同様の表示を行ってもよい。
【０４６５】
［ダイヤル表示部の他の形態］
上記実施の形態では、ダイヤル表示部の一例としてのダイヤルディスプレー１３２の形状を円形状としているが、ダイヤル表示部の形状は、これに限定されるものではない。たとえば、矩形状、多角形状としてもよい。ダイヤル表示部の形状は、必ずしも操作ダイヤル１１０の天面の形状（内周部１１２の上端面の形状）に合致した形状にする必要はなく、種々の形状を採用できる。
【０４６６】
［表示部及びダイヤル表示部の他の例］
表示部を構成するサブディスプレー１６、及び、ダイヤル表示部を構成するダイヤルディスプレー１３２は、たとえば、電子ペーパー、メモリ液晶ディスプレー、有機ＥＬディスプレー（EL:ElectroLuminescent）等の自発光式ディスプレー等により構成することもできる。
【０４６７】
電子ペーパーとは、紙と同レベルの薄さ、視認性を備えた薄型ディスプレーのことであり、表示内容を書き換えられるものをいう。メモリ液晶ディスプレーとは、電源をオフしても、画面に表示させた内容を維持できる機能を備えた液晶ディスプレーのことである。いずれも周囲が明るい環境でも良好な視認性を確保できる。また、カメラの電源をオフした場合であってもダイヤル表示部の表示を確認できる。
【０４６８】
また、ダイヤルディスプレーをＬＣＤにより構成する場合、反射型ＬＣＤにより構成することにより、明るい環境でも良好な視認性を確保できる。なお、ダイヤルディスプレーを反射型ＬＣＤにより構成する場合、照明を備えることが好ましい。
【０４６９】
表示部であるサブディスプレー１６についても同様に、電子ペーパー、メモリ液晶ディスプレー、有機ＥＬディスプレー等の自発光式ディスプレー等により構成できる。
【０４７０】
［操作ダイヤルに対する表示部の配置の他の例］
上記実施の形態では、カメラボディ１０の天面において、操作ダイヤル１１０の左斜め前側の位置にサブディスプレー１６を配置しているが、サブディスプレー１６の配置位置は、これに限定されるものではない。
【０４７１】
ただし、操作ダイヤル１１０に対してサブディスプレー１６を離れた位置に配置すると、操作性及び視認性が損なわれるので、サブディスプレー１６は、操作ダイヤル１１０の近傍に配置することが好ましい。
【０４７２】
ここで、近傍とは、図３に示すように、サブディスプレー１６と操作ダイヤル１１０とが隣接して配置される程度の距離関係をいう。
【０４７３】
サブディスプレー１６を操作ダイヤル１１０の近傍に配置することにより、両者の連関性を高めて、より良好な操作性を提供できる。すなわち、操作ダイヤル１１０のすぐ近くで設定を確認できるので、操作ダイヤル１１０あるいはダイヤルディスプレー１３２を見ながら操作する際に視線移動を少なくでき、ストレスのない良好な操作性を提供できる。また、直感的な操作も実現できる。
【０４７４】
また、サブディスプレー１６を操作ダイヤル１１０の近傍に配置した場合、操作ダイヤル１１０の右側よりも左側、下側よりも上側に配置した方が、操作ダイヤル１１０を操作する手によって隠されにくいので、操作性の観点では好ましい。
【０４７５】
図５２は、操作ダイヤル１１０及びサブディスプレー１６のレイアウトの他の一例を示す平面図である。
【０４７６】
同図に示す例では、カメラボディ１０の天面において、操作ダイヤル１１０の左側の位置にサブディスプレー１６を配置している。これにより、操作ダイヤル１１０を操作する手の指でサブディスプレー１６の表示が隠れるのを防止できる。
【０４７７】
図５３は、操作ダイヤル１１０及びサブディスプレー１６のレイアウトの他の一例を示す平面図である。
【０４７８】
同図に示す例では、カメラボディ１０の天面において、操作ダイヤル１１０の前側の位置にサブディスプレー１６を配置している。なお、同図に示す例では、カメラボディ１０の天面に複数のダイヤルＤ１及びＤ２を備えた例を示している。また、同図に示す例では、操作ダイヤル１１０の外径及びサブディスプレーの画面サイズを小さくしている。このように、操作ダイヤル１１０の外径及びサブディスプレー１６の画面サイズは、カメラボディのサイズ等に応じて、適宜設定できる。
【０４７９】
［その他の変形例］
上記実施の形態では、操作ダイヤル１１０の回転をロータリーエンコーダーで検出する構成としているが、操作ダイヤル１１０の回転を検出する構成は、これに限定されるものではない。この他、たとえば、回転ブラシ等を利用した公知の回転検出手段を採用することもできる。
【０４８０】
また、上記実施の形態では、クリック溝板金１２０Ａとクリックボール１２０Ｂとで操作ダイヤル１１０のクリック機構を構成しているが、クリック機構の構成は、これに限定されるものではない。この他、板バネ等を利用した公知のクリック機構を採用することもできる。
【０４８１】
また、上記実施の形態では、本発明をデジタルカメラに適用した場合を例に説明したが、本発明の適用は、これに限定されるものではない。銀塩フイルムを使用したカメラにも同様に適用できる。また、カメラ機能を備えた電子機器にも適用できる。
【０４８２】
また、上記実施の形態では、レンズ交換式のカメラに本発明を適用した場合を例に説明したが、レンズ一体式のカメラにも同様に適用できる。
【０４８３】
更に、上記実施の形態では、ノンレフレックス型のカメラに本発明を適用した場合を例に説明したが、レフレックス型のカメラにも同様に適用できる。
【０４８４】
以上述べたように、本発明の一態様に係るカメラにあっては、回転式の操作ダイヤルと、操作ダイヤルの天面に備えられた複数の接触検出部と、操作ダイヤルで設定する項目が接触検出部ごとに設定され、接触検出部の検出結果に応じて、接触検出部ごとに設定された項目の設定変更の有効と無効とを切り替える切替部と、操作ダイヤルの操作に応じて、設定変更が有効な項目の設定を変更する設定変更部と、を備える。
【０４８５】
本態様によれば、操作ダイヤルの天面に複数の接触検出部が備えられる。各接触検出部には、それぞれ操作ダイヤルで設定する項目が設定される。そして、各接触検出部の検出結果に応じて、各接触検出部に設定された項目の設定変更の有効と無効とが切り替えられる。操作ダイヤルを操作した場合、設定変更が有効な項目の設定が変更される。接触によって設定変更の有効と無効とが切り替えられるので、操作ダイヤルの構成を簡素化できる。複数の接触検出部を備えることにより、１つの操作ダイヤルで複数の項目の設定ができる。
【０４８６】
また、本発明の一態様に係るカメラにあっては、操作ダイヤルで設定する項目を接触検出部ごとに設定する項目設定部を更に備える。
【０４８７】
本態様によれば、操作ダイヤルで設定する項目を接触検出部ごとに設定できる。これにより、より操作性を向上できる。
【０４８８】
また、本発明の一態様に係るカメラにあっては、切替部は、接触検出部が接触を検出している間、接触を検出している接触検出部に設定された項目の設定変更を有効にする。
【０４８９】
本態様によれば、接触検出部が接触を検出している間、接触を検出している接触検出部に設定された項目の設定変更が有効にされる。すなわち、指を触れている間、その接触検出部に設定された項目の設定変更が有効にされる。これにより、簡単に操作ダイヤルをロック及びアンロックできる。
【０４９０】
また、本発明の一態様に係るカメラにあっては、特定の接触検出部の組み合わせに対して操作ダイヤルで設定する項目が設定され、切替部は、特定の組み合わせで接触検出部が接触を検出している場合、特定の接触検出部の組み合わせに対して設定された項目の設定変更を有効にする。
【０４９１】
本態様によれば、特定の接触検出部の組み合わせに対して操作ダイヤルで設定する項目が設定される。すなわち、特定の接触検出部を複数同時に触れると、特定の項目の設定変更が可能になる。たとえば、２つの接触検出部が備えられている場合、その２つの接触検出部を同時に触れると、特定の項目の設定変更が可能になる。これにより、１つの操作ダイヤルで設定できる項目を簡単に増やせる。
【０４９２】
また、本発明の一態様に係るカメラにあっては、操作ダイヤルの近傍に備えられた表示部と、操作ダイヤルで設定される項目の設定値を表示部に表示する表示制御部と、を更に備える。
【０４９３】
本態様によれば、操作ダイヤルの近傍に表示部が備えられる。そして、その表示部に操作ダイヤルで設定される項目の設定値が表示される。これにより、操作ダイヤルで設定される項目の設定状況を簡単に確認できる。
【０４９４】
また、本発明の一態様に係るカメラにあっては、表示制御部は、操作ダイヤルで設定可能な全ての項目の設定値を表示部に表示し、かつ、設定変更が有効な項目の設定値と設定変更が無効な項目の設定値とを異なる態様で表示する。
【０４９５】
本態様によれば、操作ダイヤルで設定可能な全ての項目の設定値が表示部に表示される。これにより、操作ダイヤルで設定可能な項目の設定値を容易に把握できる。また各設定値を表示する際、設定変更が有効な項目の設定値と設定変更が無効な項目の設定値とが異なる態様で表示される。これにより、現在操作ダイヤルで設定可能な項目を容易に把握できる。
【０４９６】
また、本発明の一態様に係るカメラにあっては、操作ダイヤルの天面に備えられたダイヤル表示部と、接触検出部に設定された項目の情報を接触検出部の配置に対応させてダイヤル表示部に表示するダイヤル表示制御部と、を更に備える。
【０４９７】
本態様によれば、操作ダイヤルの天面にダイヤル表示部が備えられる。ダイヤル表示部には、接触検出部に設定された項目の情報が、接触検出部の配置に対応して表示される。これにより、天面のどこに触れると、どの項目の設定が有効になるのかを一目で把握できる。
【０４９８】
また、本発明の一態様に係るカメラにあっては、ダイヤル表示制御部は、設定変更が有効な項目の情報と設定変更が無効な項目の情報とを異なる態様で表示する。
【０４９９】
本態様によれば、設定変更が有効な項目の情報と設定変更が無効な項目の情報とが異なる態様で表示される。これにより、どの項目の設定変更が有効であるのかを一目で把握できる。
【０５００】
また、本発明の一態様に係るカメラにあっては、切替部は、接触検出部が接触を検出するたびに、設定変更を有効にする項目を、接触を検出した接触検出部に設定された項目に切り替える。
【０５０１】
本態様によれば、接触検出部で接触が検出されるたびに、設定変更を有効にする項目が切り替えられる。すなわち、最後に触れた接触検出部に設定された項目の設定変更が有効にされる。これにより、操作ダイヤルで設定する項目を簡単に切り替えられる。
【０５０２】
また、本発明の一態様に係るカメラにあっては、同じ接触検出部が連続して接触を検出した場合、切替部は、接触を検出するたびに、設定変更の無効と有効とを交互に切り替える。
【０５０３】
本態様によれば、同じ接触検出部が連続して接触を検出すると、接触を検出するたびに、設定変更の無効と有効とが交互に切り替えられる。すなわち、同じ接触検出部を連続して触れると、操作ダイヤルの操作の有効と無効とを交互に切り替えられる。いわゆるトグル式のスイッチとして機能できる。これにより、簡単に操作ダイヤルをロック及びアンロックできる。
【０５０４】
また、本発明の一態様に係るカメラにあっては、特定の接触検出部の組み合わせに対して操作ダイヤルで設定する項目が設定され、切替部は、特定の組み合わせで接触検出部が接触を検出した場合、特定の接触検出部の組み合わせに対して設定された項目の設定変更を有効にする。
【０５０５】
本態様によれば、特定の接触検出部の組み合わせに対して操作ダイヤルで設定する項目が設定される。すなわち、特定の接触検出部を複数同時に触れると、特定の項目の設定変更が可能になる。たとえば、２つの接触検出部が備えられている場合、その２つの接触検出部を同時に触れると、特定の項目の設定変更が可能になる。これにより、１つの操作ダイヤルで設定できる項目を簡単に増やせる。
【０５０６】
また、本発明の一態様に係るカメラにあっては、操作ダイヤルの近傍に備えられた表示部と、操作ダイヤルで設定される項目の設定値を表示部に表示する表示制御部と、を更に備える。
【０５０７】
本態様によれば、操作ダイヤルの近傍に表示部が備えられる。そして、その表示部に操作ダイヤルで設定される項目の設定値が表示される。これにより、操作ダイヤルで設定される項目の設定状況を簡単に確認できる。
【０５０８】
また、本発明の一態様に係るカメラにあっては、表示制御部は、操作ダイヤルで設定可能な全ての項目の設定値を表示部に表示し、かつ、設定変更が有効な項目の設定値と設定変更が無効な項目の設定値とを異なる態様で表示する。
【０５０９】
本態様によれば、操作ダイヤルで設定可能な全ての項目の設定値が表示部に表示される。これにより、操作ダイヤルで設定可能な項目の設定値を容易に把握できる。また各設定値を表示する際、設定変更が有効な項目の設定値と設定変更が無効な項目の設定値とが異なる態様で表示される。これにより、現在操作ダイヤルで設定可能な項目を容易に把握できる。
【０５１０】
また、本発明の一態様に係るカメラにあっては、操作ダイヤルの天面に備えられたダイヤル表示部と、接触検出部に設定された項目の情報を接触検出部の配置に対応させてダイヤル表示部に表示するダイヤル表示制御部と、を更に備える。
【０５１１】
本態様によれば、操作ダイヤルの天面にダイヤル表示部が備えられる。ダイヤル表示部には、接触検出部に設定された項目の情報が、接触検出部の配置に対応して表示される。これにより、天面のどこに触れると、どの項目の設定が有効になるのかを一目で把握できる。
【０５１２】
また、本発明の一態様に係るカメラにあっては、ダイヤル表示制御部は、設定変更が有効な項目の情報と設定変更が無効な項目の情報とを異なる態様で表示する。
【０５１３】
本態様によれば、設定変更が有効な項目の情報と設定変更が無効な項目の情報とが異なる態様で表示される。これにより、どの項目の設定変更が有効であるのかを一目で把握できる。
【０５１４】
また、本発明の一態様に係るカメラにあっては、操作ダイヤルと表示部とが、カメラボディの天面に配置される。
【０５１５】
本態様によれば、操作ダイヤルと表示部とが、カメラボディの天面（いわゆる軍艦部）に配置される。
【０５１６】
また、本発明の一態様に係るカメラにあっては、操作ダイヤルが、カメラボディのグリップ部側の端部に配置される。
【０５１７】
本態様によれば、操作ダイヤルが、カメラボディのグリップ部側の端部に配置される。これにより、グリップしながら操作ダイヤルを操作できる。
【０５１８】
また、本発明の一態様に係るカメラの設定方法にあっては、回転式の操作ダイヤルの天面に備えられた複数の接触検出部ごとに操作ダイヤルで設定する項目を設定し、接触検出部が接触を検出している間、接触を検出している接触検出部に設定された項目の設定変更を有効にし、操作ダイヤルの操作に応じて、設定変更が有効な項目の設定を変更する。
【０５１９】
本態様によれば、操作ダイヤルの天面に複数の接触検出部が備えられ、その接触検出部が接触を検出している間だけ、操作ダイヤルによる操作が有効になる。これにより、簡単に操作ダイヤルをロック及びアンロックできる。また、各接触検出部には、それぞれ操作ダイヤルで設定可能な項目が設定され、接触を検出した接触検出部に設定された項目の設定変更が有効にされる。これにより、１つの操作ダイヤルで複数の項目の設定ができる。
【０５２０】
また、本発明の一態様に係るカメラの設定方法にあっては、回転式の操作ダイヤルの天面に備えられた複数の接触検出部ごとに操作ダイヤルで設定する項目を設定し、接触検出部が接触を検出するたびに、設定変更を有効にする項目を、接触を検出した接触検出部に設定された項目に切り替え、操作ダイヤルの操作に応じて、設定変更が有効な項目の設定を変更する。
【０５２１】
本態様によれば、操作ダイヤルの天面に複数の接触検出部が備えられ、その接触検出部が接触を検出するたびに、操作ダイヤルで設定変更可能な項目が切り替えられる。これにより、１つの操作ダイヤルで複数の項目の設定ができる。
【０５２２】
また、本発明の一態様に係るカメラの設定プログラムにあっては、回転式の操作ダイヤルの天面に備えられた複数の接触検出部ごとに操作ダイヤルで設定する項目を設定する機能と、接触検出部からの出力に基づいて、接触検出部ごとの接触の有無を判定する機能と、接触検出部が接触を検出している間、接触を検出している接触検出部に設定された項目の設定変更を有効にする機能と、操作ダイヤルの操作に応じて、設定変更が有効な項目の設定を変更する機能と、をコンピュータに実現させる。
【０５２３】
本態様によれば、操作ダイヤルの天面に複数の接触検出部が備えられ、その接触検出部が接触を検出している間だけ、操作ダイヤルによる操作が有効になる。これにより、簡単に操作ダイヤルをロック及びアンロックできる。また、各接触検出部には、それぞれ操作ダイヤルで設定可能な項目が設定され、接触を検出した接触検出部に設定された項目の設定変更が有効にされる。これにより、１つの操作ダイヤルで複数の項目の設定ができる。
【０５２４】
また、本発明の一態様に係るカメラの設定プログラムにあっては、回転式の操作ダイヤルの天面に備えられた複数の接触検出部ごとに操作ダイヤルで設定する項目を設定する機能と、接触検出部からの出力に基づいて、接触検出部ごとの接触の有無を判定する機能と、接触検出部が接触を検出するたびに、設定変更を有効にする項目を、接触を検出した接触検出部に設定された項目に切り替える機能と、操作ダイヤルの操作に応じて、設定変更が有効な項目の設定を変更する機能と、をコンピュータに実現させる。
【０５２５】
本態様によれば、操作ダイヤルの天面に複数の接触検出部が備えられ、その接触検出部が接触を検出するたびに、操作ダイヤルで設定変更可能な項目が切り替えられる。これにより、１つの操作ダイヤルで複数の項目の設定ができる。
【符号の説明】
【０５２６】
１  デジタルカメラ
２  レンズ
２ａ  レンズ駆動部
１０  カメラボディ
１２  レンズマウント
１４  メインディスプレー
１６  サブディスプレー
１８  電子ビューファインダー
２０  ホットシュー
２２  グリップ
２４  サムレスト
３０  シャッターボタン
３１  電源レバー
３４  再生ボタン
３５  消去ボタン
３６  ＡＦロックボタン
３７  ＡＥロックボタン
３８  メニューボタン
３９  セレクターボタン
４０  ＢＡＣＫボタン
４１  リアコマンドダイヤル
４２  モードダイヤル
４２ａ  指標
５０  イメージセンサー
５２  イメージセンサー駆動部
５４  シャッター
５６  シャッター駆動部
５８  アナログ信号処理部
６０  画像データ入力部
６２  ワークメモリ
６４  データメモリ
６６  デジタル信号処理部
６８  記録制御部
７０  メインディスプレー駆動部
７２  サブディスプレー駆動部
７２Ａ  サブディスプレー表示制御部
７４  操作部
７８  メモリーカード
８０  システムコントローラー
１１０  操作ダイヤル
１１２  内周部
１１２Ａ  支柱部
１１４  外周部
１１４Ａ  軸部
１１６  操作ダイヤル支持フレーム
１１６Ａ  クリックボール収容穴
１１８  軸受
１２０  クリック機構
１２０Ａ  クリック溝板金
１２０Ｂ  クリックボール
１２０Ｃ  クリックバネ
１２０ａ  クリック溝
１２６  回転検出部
１３０  タッチセンサー
１３２  ダイヤルディスプレー
１３４  ダイヤルディスプレー表示制御部
１３６  ダイヤルディスプレー駆動部
１５０  設定システム
１５２  切替部
１５４  設定変更部
１５６  撮影モード切替部
１５８  項目設定部
ＡＢ  遷移方向を示す矢印
ＡＣ  遷移方向を示す矢印
ＢＡ  遷移方向を示す矢印
ＢＣ  遷移方向を示す矢印
ＣＡ  遷移方向を示す矢印
ＣＢ  遷移方向を示す矢印
Ｄ１  ダイヤル
Ｄ２  ダイヤル
Ｄｃ  中央領域
Ｄｃｚ  接触検出領域
Ｄｆ  前領域
Ｄｆｚ  接触検出領域
Ｄｌｆ  左前領域Ｄｌｆｚ  接触検出領域
Ｄｌｒ  左後領域
Ｄｌｒｚ  接触検出領域
Ｄｒ  後領域
Ｄｒｆ  右前領域
Ｄｒｆｚ  接触検出領域
Ｄｒｒ  右後領域
Ｄｒｒｚ  接触検出領域
Ｄｒｚ  接触検出領域
Ｌ  光軸
ｉ１  シャッタースピードの情報
ｉ２  絞り値（Ｆ値）の情報
ｉ３  ＩＳＯ感度の情報
ｉ４  露出補正値の情報
ｉ５  撮影モードの情報
ｉ６  撮影可能枚数の情報
ｍ１  ロックマーク
ｍ２  設定変更有効マーク
Ｓ１０〜Ｓ１９  作ダイヤルで設定可能な項目の設定変更の有効と無効とを切り替える処理の手順
Ｓ３０〜Ｓ３４  操作ダイヤルの操作に基づく設定変更の処理の手順
Ｓ４０〜Ｓ４９  操作ダイヤルで設定可能な項目の設定変更の有効と無効とを切り替える処理
Ｓ６０〜Ｓ６９  撮影モードを切り替える処理の手順
Ｓ８０〜Ｓ８４  操作ダイヤルの操作に基づく設定変更の処理の手順
Ｓ９０〜Ｓ９９  撮影モードを切り替える処理の手順
【図１】
0006664488.tif 000002
【図２】
0006664488.tif 000003
【図３】
0006664488.tif 000004
【図４】
0006664488.tif 000005
【図５】
0006664488.tif 000006
【図６】
0006664488.tif 000007
【図７】
0006664488.tif 000008
【図８】
0006664488.tif 000009
【図９】
0006664488.tif 000010
【図１０】
0006664488.tif 000011
【図１１】
0006664488.tif 000012
【図１２】
0006664488.tif 000013
【図１３】
0006664488.tif 000014
【図１４】
0006664488.tif 000015
【図１５】
0006664488.tif 000016
【図１６】
0006664488.tif 000017
【図１７】
0006664488.tif 000018
【図１８】
0006664488.tif 000019
【図１９】
0006664488.tif 000020
【図２０】
0006664488.tif 000021
【図２１】
0006664488.tif 000022
【図２２】
0006664488.tif 000023
【図２３】
0006664488.tif 000024
【図２４】
0006664488.tif 000025
【図２５】
0006664488.tif 000026
【図２６】
0006664488.tif 000027
【図２７】
0006664488.tif 000028
【図２８】
0006664488.tif 000029
【図２９】
0006664488.tif 000030
【図３０】
0006664488.tif 000031
【図３１】
0006664488.tif 000032
【図３２】
0006664488.tif 000033
【図３３】
0006664488.tif 000034
【図３４】
0006664488.tif 000035
【図３５】
0006664488.tif 000036
【図３６】
0006664488.tif 000037
【図３７】
0006664488.tif 000038
【図３８】
0006664488.tif 000039
【図３９】
0006664488.tif 000040
【図４０】
0006664488.tif 000041
【図４１】
0006664488.tif 000042
【図４２】
0006664488.tif 000043
【図４３】
0006664488.tif 000044
【図４４】
0006664488.tif 000045
【図４５】
0006664488.tif 000046
【図４６】
0006664488.tif 000047
【図４７】
0006664488.tif 000048
【図４８】
0006664488.tif 000049
【図４９】
0006664488.tif 000050
【図５０】
0006664488.tif 000051
【図５１】
0006664488.tif 000052
【図５２】
0006664488.tif 000053
【図５３】
0006664488.tif 000054